(57)【要約】【課題】適切な販売促進活動を行えなかった。【解決手段】商品リスト情報とユーザ識別子とを有する１以上のユーザ興味商品情報を格納し得るユーザ興味商品情報格納部と、第一装置から登録指示を受信する登録指示受信部と、１以上の商品リストをユーザ識別子に対応付けてユーザ興味商品情報格納部に蓄積する商品リスト蓄積部と、商品リストを第二装置に送信する商品リスト送信部と、商品リストが有する商品情報に対応付く態様で第二装置から補助情報を受信する補助情報受信部と、商品情報に対応付けて、補助情報をユーザ興味商品情報格納部に蓄積する補助情報蓄積部と、第一装置から取得指示を受信する取得指示受信部と、取得指示が有するユーザ識別子と対になる商品リスト情報を取得する商品リスト情報取得部と、商品リスト情報を、第一装置に送信する商品リスト情報送信部とを具備するサーバ装置により、適切な販売促進活動を行うことができる。【選択図】図２
2015162141.tif 000002
【特許請求の範囲】
【請求項１】
１または２以上の第一装置、１または２以上の第二装置、およびサーバ装置を有する販売促進システムを構成するサーバ装置であって、
前記第一装置は、
ユーザを識別するユーザ識別子を格納し得る第一格納部と、
商品に関する情報である１以上の商品情報を含む商品リストを含む商品リストの登録の指示、および商品リストを有する商品リスト情報を取得する指示を含む指示を受け付ける第一受付部と、
前記商品リストの登録の指示を受け付けた場合に、前記商品リストと前記ユーザ識別子とを含む登録指示を前記サーバ装置に送信し、前記商品リスト情報を取得する指示を受け付けた場合に、前記ユーザ識別子を含む取得指示を前記サーバ装置に送信する第一送信部と、
前記取得指示の送信に応じて、商品リストと、当該商品リストまたは当該商品リストに含まれる商品情報に対応付いている情報であり、商品情報または商品リストに関連する情報である１以上の補助情報とを有する商品リスト情報を、前記サーバ装置から受信する第一受信部と、
前記第一受信部が受信した商品リスト情報を出力する第一出力部とを具備し、
前記第二装置は、
商品リストを前記サーバ装置から受信する第二受信部と、
前記第二受信部が受信した商品リストに含まれる商品情報に対応付く態様で、または前記第二受信部が受信した商品リストに対応付く態様で、補助情報を前記サーバ装置に送信する第二送信部とを具備し、
前記サーバ装置は、
商品リスト情報とユーザ識別子とを有する１以上のユーザ興味商品情報を格納し得るユーザ興味商品情報格納部と、
前記第一装置から登録指示を受信する登録指示受信部と、
前記登録指示受信部が受信した登録指示が有する商品リストを、登録指示が有するユーザ識別子に対応付けて前記ユーザ興味商品情報格納部に蓄積する商品リスト蓄積部と、
前記ユーザ興味商品情報格納部に格納されているユーザ興味商品情報が有する商品リストを、前記第二装置に送信する商品リスト送信部と、
前記商品リスト送信部が送信した商品リストが有する商品情報に対応付く態様で、または前記商品リスト送信部が送信した商品リストに対応付く態様で、前記第二装置から補助情報を受信する補助情報受信部と、
前記補助情報受信部が受信した補助情報を、前記商品情報または前記商品リストに対応付けて、前記ユーザ興味商品情報格納部に蓄積する補助情報蓄積部と、
前記第一装置から取得指示を受信する取得指示受信部と、
前記取得指示の受信に応じて、当該取得指示が有するユーザ識別子と対になる商品リスト情報を取得する商品リスト情報取得部と、
前記商品リスト情報取得部が取得した商品リスト情報を、前記第一装置に送信する商品リスト情報送信部とを具備する販売促進システムを構成するサーバ装置。
【請求項２】
前記商品情報は、
当該商品を販売する店舗を識別する店舗識別子を有し、
前記商品リスト送信部は、
商品リストに含まれる商品情報が有する店舗識別子とは異なる店舗識別子に対応する第二装置に、前記商品情報、または前記商品情報と対になる補助情報、または前記商品情報および前記商品情報と対になる補助情報を送信する請求項１記載のサーバ装置。
【請求項３】
前記サーバ装置は、
２以上の関連のある各店舗を識別する２以上の店舗識別子を有する１以上の関連店舗情報を格納し得る関連店舗情報格納部をさらに具備し、
前記商品リスト送信部は、
商品リストに含まれる商品情報が有する店舗識別子と対になる１以上の店舗識別子を前記関連店舗情報格納部から取得する店舗識別子取得手段と、
前記店舗識別子取得手段が取得した１以上の店舗識別子に対応する１以上の第二装置に、前記商品情報、または前記商品情報と対になる補助情報、または前記商品情報と前記商品情報と対になる補助情報を送信する商品リスト送信手段とを具備し、
前記第二装置の第二受信部は、
前記商品情報、または前記商品情報と対になる補助情報、または前記商品情報と前記商品情報と対になる補助情報をも、前記サーバ装置から受信する請求項２記載のサーバ装置。
【請求項４】
前記関連店舗情報は、
商品情報に含まれる商品に関連する商品関連情報と店舗識別子との組である２以上の店舗商品情報を含み、関連する店舗商品情報を管理する情報であり、
前記店舗識別子取得手段は、
商品リストに含まれる商品情報が有する店舗識別子と商品関連情報と対になる１以上の店舗識別子を前記関連店舗情報格納部から取得し、
前記商品リスト送信手段は、
前記店舗識別子取得手段が取得した１以上の店舗識別子に対応する１以上の第二装置に、前記商品情報、または前記商品情報と対になる補助情報、または前記商品情報と前記商品情報と対になる補助情報を送信し、
前記第二装置は、
１以上の補助情報を格納し得る第二格納部と、
前記第二受信部が受信した商品情報、または補助情報、または商品情報と補助情報に関係する補助情報を取得する第二処理部をさらに具備し、
前記第二送信部は、
前記第二処理部が取得した補助情報を前記サーバ装置に送信する請求項３記載のサーバ装置。
【請求項５】
ユーザ識別子で識別される一のユーザが商品を購入した履歴情報であり、商品を購入した店舗の店舗識別子とユーザ識別子とを含む２以上の履歴情報から、２以上の店舗識別子を取得し、当該２以上の店舗識別子を有する１以上の関連店舗情報を構成し、前記関連店舗情報格納部に蓄積する関連店舗情報登録部をさらに具備する請求項３または請求項４記載のサーバ装置。
【請求項６】
前記ユーザ興味商品情報が有する商品リストに含まれる２以上の各商品情報は、異なるユーザ識別子に対応し得る請求項１から請求項５いずれか一項に記載のサーバ装置。
【請求項７】
前記ユーザ興味商品情報は、金額に関する制約の情報である制約情報を有し、
前記商品リスト送信部は、
商品リストと制約情報とを前記第二装置に送信し、
前記第二装置の第二受信部は、
商品リストと制約情報と受信し、
前記第二装置の第二送信部は、
前記制約情報が示す制約を満たす補助情報を前記サーバ装置に送信する請求項１から請求項６いずれか一項に記載のサーバ装置。
【請求項８】
前記制約情報は、
クレジットカードの利用枠、または残り使用可能金額である請求項７記載のサーバ装置。
【請求項９】
前記補助情報は、
商品を販売する店舗に関する情報であり、店舗の位置情報を含む店舗情報を有し、
前記第一出力部は、
前記第一受信部が受信した商品リスト情報が有する店舗情報に含まれる位置情報を用いて、店舗の位置が分かる態様で地図をも出力する請求項１から請求項８いずれか一項に記載のサーバ装置。
【請求項１０】
前記第二装置は、
商品に関する情報を含む１以上の補助情報を格納し得る第二格納部と、
前記第二受信部が受信した商品リストに含まれる商品情報を用いて、補助情報を取得する第二処理部とをさらに具備し、
前記第二送信部は、
前記第二受信部が受信した商品リストに対応付く態様で、または前記第二受信部が受信した商品リストに含まれる商品情報に対応付く態様で、前記第二処理部が取得した補助情報を前記サーバ装置に送信する請求項１から請求項９いずれか一項に記載のサーバ装置。
【請求項１１】
記憶媒体は、
商品リスト情報とユーザ識別子とを有する１以上のユーザ興味商品情報を格納し得るユーザ興味商品情報格納部を具備し、
登録指示受信部、商品リスト蓄積部、商品リスト送信部、補助情報受信部、補助情報蓄積部、取得指示受信部、商品リスト情報取得部、および商品リスト情報送信部により実現される情報送信方法であって、
前記登録指示受信部が、商品リストとユーザ識別子とを含む登録指示を第一装置から受信する登録指示受信ステップと、
前記商品リスト蓄積部が、前記登録指示受信ステップで受信された登録指示が有する商品リストを、登録指示が有するユーザ識別子に対応付けて前記ユーザ興味商品情報格納部に蓄積する商品リスト蓄積ステップと、
前記商品リスト送信部が、前記ユーザ興味商品情報格納部に格納されているユーザ興味商品情報が有する商品リストを、第二装置に送信する商品リスト送信ステップと、
前記補助情報受信部が、前記商品リスト送信ステップで送信された商品リストが有する商品情報に対応付く態様で、または前記商品リスト送信ステップで送信された商品リストに対応付く態様で、前記第二装置から補助情報を受信する補助情報受信ステップと、
前記補助情報蓄積部が、前記補助情報受信ステップで受信された補助情報を、前記商品情報または前記商品リストに対応付けて、前記ユーザ興味商品情報格納部に蓄積する補助情報蓄積ステップと、
前記取得指示受信部が、商品リスト情報を取得する指示であり、ユーザ識別子を有する取得指示を前記第一装置から受信する取得指示受信ステップと、
前記商品リスト情報取得部が、前記取得指示の受信に応じて、当該取得指示が有するユーザ識別子と対になる商品リスト情報を取得する商品リスト情報取得ステップと、
前記商品リスト情報送信部が、前記商品リスト情報取得ステップで取得された商品リスト情報を、前記第一装置に送信する商品リスト情報送信ステップとを具備する情報送信方法。
【請求項１２】
記憶媒体は、
商品リスト情報とユーザ識別子とを有する１以上のユーザ興味商品情報を格納し得るユーザ興味商品情報格納部を具備し、
コンピュータを、
商品リストとユーザ識別子とを含む登録指示を第一装置から受信する登録指示受信部と、
前記登録指示受信部が受信した登録指示が有する商品リストを、登録指示が有するユーザ識別子に対応付けて前記ユーザ興味商品情報格納部に蓄積する商品リスト蓄積部と、
前記ユーザ興味商品情報格納部に格納されているユーザ興味商品情報が有する商品リストを、第二装置に送信する商品リスト送信部と、
前記商品リスト送信部が送信した商品リストが有する商品情報に対応付く態様で、または前記商品リスト送信部が送信した商品リストに対応付く態様で、前記第二装置から補助情報を受信する補助情報受信部と、
前記補助情報受信部が受信した補助情報を、前記商品情報または前記商品リストに対応付けて、前記ユーザ興味商品情報格納部に蓄積する補助情報蓄積部と、
商品リスト情報を取得する指示であり、ユーザ識別子を有する取得指示を前記第一装置から受信する取得指示受信部と、
前記取得指示の受信に応じて、当該取得指示が有するユーザ識別子と対になる商品リスト情報を取得する商品リスト情報取得部と、
前記商品リスト情報取得部が取得した商品リスト情報を、前記第一装置に送信する商品リスト情報送信部として機能させるためのプログラム。
【発明の詳細な説明】
【技術分野】
【０００１】
本発明は、販売促進活動に関するサーバ装置等に関するものである。
【背景技術】
【０００２】
従来、コーディネイトサービスを行なうことで顧客の購買意欲を高め、複数の商品を同時に購入してもらい、売上げ増加を実現することができるコーディネイトシステムがあった（特許文献１参照）。
【先行技術文献】
【特許文献】
【０００３】
【特許文献１】特開２００６−１４６５５０号公報
【発明の概要】
【発明が解決しようとする課題】
【０００４】
しかしながら、従来の技術においては、店舗とユーザの両者にとって、適切な販売促進活動を行うことができなかった。
【０００５】
また、従来の技術においては、競合する複数の店舗から、一のユーザに適切な情報を提供することができなかった。
【０００６】
また、従来の技術においては、複数の店舗が合同で販売促進活動を行うことができなかった。
【０００７】
また、従来の技術においては、複数人のグループ（例えば、夫婦、家族など）に対して、販売促進活動を行うことができなかった。
【０００８】
さらに、従来の技術においては、店舗にとって、金額に関する制約に合致するように、販売促進活動を行うことができなかった。
【課題を解決するための手段】
【０００９】
本第一の発明のサーバ装置は、第一装置、第二装置、およびサーバ装置を有する販売促進システムを構成するサーバ装置であって、第一装置は、ユーザを識別するユーザ識別子を格納し得る第一格納部と、商品に関する情報である１以上の商品情報を含む商品リストを含む商品リストの登録の指示、および商品リストを有する商品リスト情報を取得する指示を含む指示を受け付ける第一受付部と、商品リストの登録の指示を受け付けた場合に、商品リストとユーザ識別子とを含む登録指示をサーバ装置に送信し、商品リスト情報を取得する指示を受け付けた場合に、ユーザ識別子を含む取得指示をサーバ装置に送信する第一送信部と、取得指示の送信に応じて、商品リストと、商品リストまたは商品リストに含まれる商品情報に対応付いている情報であり、商品情報または商品リストに関連する情報である１以上の補助情報とを有する商品リスト情報を、サーバ装置から受信する第一受信部と、第一受信部が受信した商品リスト情報を出力する第一出力部とを具備し、第二装置は、商品リストをサーバ装置から受信する第二受信部と、第二受信部が受信した商品リストに含まれる商品情報に対応付く態様で、または第二受信部が受信した商品リストに対応付く態様で、補助情報をサーバ装置に送信する第二送信部とを具備し、サーバ装置は、商品リスト情報とユーザ識別子とを有する１以上のユーザ興味商品情報を格納し得るユーザ興味商品情報格納部と、第一装置から登録指示を受信する登録指示受信部と、登録指示受信部が受信した１以上の商品リストを、ユーザ識別子に対応付けてユーザ興味商品情報格納部に蓄積する商品リスト蓄積部と、ユーザ興味商品情報格納部に格納されているユーザ興味商品情報が有する商品リストを、第二装置に送信する商品リスト送信部と、商品リスト送信部が送信した商品リストが有する商品情報に対応付く態様で、または商品リスト送信部が送信した商品リストに対応付く態様で、第二装置から補助情報を受信する補助情報受信部と、補助情報受信部が受信した補助情報を、商品情報または商品リストに対応付けて、ユーザ興味商品情報格納部に蓄積する補助情報蓄積部と、第一装置から取得指示を受信する取得指示受信部と、取得指示の受信に応じて、取得指示が有するユーザ識別子と対になる商品リスト情報を取得する商品リスト情報取得部と、商品リスト情報取得部が取得した商品リスト情報を、第一装置に送信する商品リスト情報送信部とを具備する販売促進システムを構成するサーバ装置である。
【００１０】
かかる構成により、店舗にとって、ユーザに対する販売促進活動を行え、ユーザにとって、ユーザが選択した商品に関する補助情報を得ることができる。
【００１１】
また、本第二の発明のサーバ装置は、第一の発明に対して、商品情報は、商品を販売する店舗を識別する店舗識別子を有し、商品リスト送信部は、商品リストに含まれる商品情報が有する店舗識別子とは異なる店舗識別子に対応する第二装置に、商品情報、または商品情報と対になる補助情報、または商品情報および商品情報と対になる補助情報を送信するサーバ装置である。
【００１２】
かかる構成により、店舗にとって、ユーザが選択した商品を販売する店舗とは異なる店舗も販売促進活動を行うことができ、かつユーザにとって、当該ユーザが選択した商品を販売する店舗以外の情報を得ることができる。
【００１３】
また、本第三の発明のサーバ装置は、第二の発明に対して、サーバ装置は、２以上の関連のある各店舗を識別する２以上の店舗識別子を有する１以上の関連店舗情報を格納し得る関連店舗情報格納部をさらに具備し、商品リスト送信部は、商品リストに含まれる商品情報が有する店舗識別子と対になる１以上の店舗識別子を関連店舗情報格納部から取得する店舗識別子取得手段と、店舗識別子取得手段が取得した１以上の店舗識別子に対応する１以上の第二装置に、商品情報、または商品情報と対になる補助情報、または商品情報と商品情報と対になる補助情報を送信する商品リスト送信手段とを具備し、第二装置の第二受信部は、商品情報、または商品情報と対になる補助情報、または商品情報と商品情報と対になる補助情報をも、サーバ装置から受信するサーバ装置である。
【００１４】
かかる構成により、関連のある複数の店舗が合同で販売促進活動を行うことができる。
【００１５】
また、本第四の発明のサーバ装置は、第三の発明に対して、関連店舗情報は、商品情報に含まれる商品に関連する商品関連情報と店舗識別子との組である２以上の店舗商品情報を含み、関連する店舗商品情報を管理する情報であり、店舗識別子取得手段は、商品リストに含まれる商品情報が有する店舗識別子と商品関連情報と対になる１以上の店舗識別子を関連店舗情報格納部から取得し、商品リスト送信手段は、店舗識別子取得手段が取得した１以上の店舗識別子に対応する１以上の第二装置に、商品情報、または商品情報と対になる補助情報、または商品情報と商品情報と対になる補助情報を送信し、第二装置は、１以上の補助情報を格納し得る第二格納部と、第二受信部が受信した商品情報、または補助情報、または商品情報と補助情報に関係する補助情報を取得する第二処理部をさらに具備し、第二送信部は、第二処理部が取得した補助情報をサーバ装置に送信するサーバ装置である。
【００１６】
かかる構成により、関連のある複数の店舗が合同で精緻な販売促進活動を行うことができる。
【００１７】
また、本第五の発明のサーバ装置は、第三または第四の発明に対して、ユーザ識別子とユーザ識別子で識別される一のユーザが商品を購入した履歴情報であり、商品を購入した店舗の店舗識別子を含む２以上の履歴情報から、２以上の店舗識別子を取得し、２以上の店舗識別子を有する１以上の関連店舗情報を構成し、関連店舗情報格納部に蓄積する関連店舗情報登録部をさらに具備するサーバ装置である。
【００１８】
かかる構成により、関連のある複数の店舗が合同で精緻な販売促進活動を行うことができる。
【００１９】
また、本第六の発明のサーバ装置は、第一から第五いずれかの発明に対して、ユーザ興味商品情報が有する商品リストに含まれる２以上の各商品情報は、異なるユーザ識別子に対応し得るサーバ装置である。
【００２０】
かかる構成により、複数人のグループ（例えば、夫婦、家族など）に対して、販売促進活動を行うことができる。
【００２１】
また、本第七の発明のサーバ装置は、第一から第六いずれかの発明に対して、ユーザ興味商品情報は、金額に関する制約の情報である制約情報を有し、商品リスト送信部は、商品リストと制約情報とを第二装置に送信し、第二装置の第二受信部は、商品リストと制約情報と受信し、第二装置の第二送信部は、制約情報が示す制約を満たす補助情報をサーバ装置に送信するサーバ装置である。
【００２２】
かかる構成により、店舗にとって、金額に関する制約に合致するように、販売促進活動を行うことができ、ユーザにとって、金額に関する制約に合致する提案を受けることができる。
【００２３】
また、本第八の発明のサーバ装置は、第七の発明に対して、制約情報は、クレジットカードの利用枠、または残り使用可能金額であるサーバ装置である。
【００２４】
かかる構成により、店舗にとって、金額に関する制約に合致するように、販売促進活動を行うことができ、ユーザにとって、金額に関する制約に合致する提案を受けることができる。
【００２５】
また、本第九の発明のサーバ装置は、第一から第八いずれかの発明に対して、補助情報は、商品を販売する店舗に関する情報であり、店舗の位置情報を含む店舗情報を有し、第一出力部は、第一受信部が受信した商品リスト情報が有する店舗情報に含まれる位置情報を用いて、店舗の位置が分かる態様で地図をも出力するサーバ装置である。
【００２６】
かかる構成により、ユーザにとって、商品を購入する際に、店舗に行きやすい。
【００２７】
また、本第十の発明の送信は、第一から第九いずれかの発明に対して、第二装置は、商品に関する情報を含む１以上の補助情報を格納し得る第二格納部と、第二受信部が受信した商品リストに含まれる商品情報を用いて、補助情報を取得する第二処理部とをさらに具備し、第二送信部は、第二受信部が受信した商品リスト、または第二受信部が受信した商品リストに含まれる商品情報に対応付く態様で、第二処理部が取得した補助情報をサーバ装置に送信するである。
【００２８】
かかる構成により、容易に補助情報を取得できる。
【発明の効果】
【００２９】
本発明によるサーバ装置によれば、店舗とユーザの両者にとって、適切な販売促進活動を行うことができる。
【図面の簡単な説明】
【００３０】
【図１】実施の形態１における販売促進システムの概念図
【図２】同販売促進システムのブロック図
【図３】同第一装置１の動作について説明するフローチャート
【図４】同第二装置２の動作について説明するフローチャート
【図５】同補助情報取得処理について説明するフローチャート
【図６】同サーバ装置３の動作について説明するフローチャート
【図７】同店舗識別子取得処理について説明するフローチャート
【図８】同ユーザ情報管理表を示す図
【図９】同店舗情報管理表を示す図
【図１０】同ユーザ興味商品情報管理表を示す図
【図１１】同関連店舗情報管理表を示す図
【図１２】同補助情報管理表を示す図
【図１３】同補助情報管理表を示す図
【図１４】同画面例を示す図
【図１５】同出力例を示す図
【図１６】同出力例を示す図
【図１７】同出力例を示す図
【図１８】同出力例を示す図
【図１９】同出力例を示す図
【図２０】同コンピュータシステムの概観図
【図２１】同コンピュータシステムのブロック図
【発明を実施するための形態】
【００３１】
以下、サーバ装置等の実施形態について図面を参照して説明する。なお、実施の形態において同じ符号を付した構成要素は同様の動作を行うので、再度の説明を省略する場合がある。
【００３２】
（実施の形態１）
【００３３】
本実施の形態において、ユーザが入力した１以上の商品の商品リストを蓄積しておき、商品リストを出力する際に、商品リストの各商品に対応する補助情報を取得し、商品リストとともに、ユーザの端末に送信するサーバ装置を含む販売促進システムについて説明する。なお、本明細書において、商品は購入対象のもので、サービスも含むと考える。また、商品リストは、通常、ユーザが欲しい商品の情報の集合である。また、商品の情報は、商品を特定する情報（品番など）でも良いし、商品の品目（種類）等でも良い。また、補助情報は、通常、商品の販売促進のための情報である。但し、補助情報は、商品を詳細に説明する情報、商品を販売する店舗の情報等でも良い。
【００３４】
また、本実施の形態において、商品リストに含まれる商品を販売する店舗以外の店舗の装置から取得した補助情報を、商品リストとともに、ユーザの端末に送信するサーバ装置を含む販売促進システムについて説明する。
【００３５】
また、本実施の形態において、２以上の異なる店舗で買い物をした実績データを用いて、２以上の店舗が合同で販売促進活動を行うサーバ装置を含む販売促進システムについて説明する。
【００３６】
また、本実施の形態において、家族等の複数人で一つの商品リストを作成し、利用する販売促進システムについて説明する。
【００３７】
また、本実施の形態において、ユーザの、金額に関する制約を用いて、制約を満たすような販売促進活動を行うサーバ装置を含む販売促進システムについて説明する。
【００３８】
また、本実施の形態において、１または２以上の補助情報が有する店舗情報を出力する際に、店舗の位置を示すように地図上に店舗の情報を出力する販売促進システムについて説明する。
【００３９】
図１は、本実施の形態における販売促進システムの概念図である。販売促進システムは、１または２以上の第一装置１、１または２以上の第二装置２、およびサーバ装置３を備える。
【００４０】
第一装置１は、通常、ユーザが使用する装置である。第一装置１は、例えば、いわゆるパソコン、スマートフォン、携帯端末、携帯電話等である。また、第二装置２とは、通常、店舗の人が使用する装置である。第二装置２は、例えば、いわゆるパソコン、スマートフォン、携帯端末、携帯電話等である。
【００４１】
図２は、本実施の形態における販売促進システムのブロック図である。
【００４２】
第一装置１は、第一格納部１１、第一受付部１２、第一処理部１３、第一送信部１４、第一受信部１５、第一出力部１６を備える。
【００４３】
第二装置２は、第二格納部２１、第二受付部２２、第二処理部２３、第二送信部２４、第二受信部２５、第二出力部２６を備える。
【００４４】
サーバ装置３は、ユーザ情報格納部３０１、店舗情報格納部３０２、ユーザ興味商品情報格納部３０３、関連店舗情報格納部３０４、履歴情報格納部３０５、登録指示受信部３０６、商品リスト蓄積部３０７、商品リスト送信部３０８、補助情報受信部３０９、補助情報蓄積部３１０、取得指示受信部３１１、商品リスト情報取得部３１２、商品リスト情報送信部３１３、関連店舗情報登録部３１４を備える。
【００４５】
商品リスト送信部３０８は、店舗識別子取得手段３０８１、商品リスト送信手段３０８２を備える。
【００４６】
第一装置１を構成する第一格納部１１は、ユーザを識別するユーザ識別子を格納し得る。ユーザ識別子は、通常、ユーザＩＤであるが、第一装置１を識別する情報、メールアドレス、電話番号等でも良い。第一装置１を識別する情報は、例えば、ＩＰアドレス、ＭＡＣアドレス等である。
【００４７】
第一受付部１２は、指示や情報を受け付ける。指示は、例えば、１以上の商品情報を含む商品リストの登録の指示である。また、指示は、例えば、商品リストを有する商品リスト情報を取得する指示である。また、指示は、商品の購入の指示等でも良い。なお、商品情報とは、商品に関する情報である。また、商品リストの登録の指示は、商品リストを含む。この商品リストは、例えば、ユーザが、ウェブページや商品のリスト等から選択した１以上の商品の商品情報、ユーザが入力した１以上の商品の品目等である。また、商品の購入の指示は、購入する商品の商品識別子を有する。
【００４８】
ここで、商品情報は、例えば、商品ＩＤ、商品名、品目、価格（予算でも良い）、商品を販売する店舗を識別する店舗識別子、商品の属性値（色、形状、サイズ等）等を有する。また、商品リスト情報は、商品リスト以外に、補助情報等を有しても良い。
【００４９】
また、指示等の受け付けとは、キーボードやマウス、タッチパネルなどの入力デバイスから入力された指示等の受け付け、有線もしくは無線の通信回線を介して送信された指示等の受信、光ディスクや磁気ディスク、半導体メモリなどの記録媒体から読み出された指示等の受け付けなどを含む概念である。指示等の入力手段は、キーボードやマウスやタッチパネルやメニュー画面によるもの等、何でも良い。第一受付部１２は、キーボード等の入力手段のデバイスドライバーや、メニュー画面の制御ソフトウェア等で実現され得る。
【００５０】
第一処理部１３は、例えば、第一受付部１２が商品リストの登録の指示を受け付けた場合に、ユーザ識別子を第一格納部１１から取得し、当該ユーザ識別子と商品リストとを含む登録指示を構成する。なお、商品リストは、受け付けられた登録の指示に含まれる。
【００５１】
また、第一処理部１３は、例えば、第一受付部１２が商品リスト情報を取得する指示を受け付けた場合に、ユーザ識別子を第一格納部１１から取得し、当該ユーザ識別子を含む取得指示を構成する。
【００５２】
また、第一処理部１３は、例えば、第一受付部１２が商品の購入の指示を受け付けた場合に、ユーザ識別子を第一格納部１１から取得し、当該ユーザ識別子と受け付けられた指示が有する商品識別子を有する購入指示を構成する。
【００５３】
第一送信部１４は、商品リストの登録の指示を受け付けた場合に、第一処理部１３が構成した登録指示をサーバ装置３に送信する。また、第一送信部１４は、商品リスト情報を取得する指示を受け付けた場合に、第一処理部１３が構成した取得指示をサーバ装置３に送信する。また、第一送信部１４は、商品の購入の指示を受け付けた場合に、第一処理部１３が構成した購入指示をサーバ装置３に送信する。
【００５４】
第一受信部１５は、取得指示の送信に応じて、商品リスト情報をサーバ装置３から受信する。商品リスト情報は、商品リストと１以上の補助情報とを有する。商品リスト情報は、商品リストのみを有しても良い。
【００５５】
ここで、補助情報は、通常、販売促進のための情報である。また、補助情報は、商品情報または商品リストに関連する情報である。また、補助情報は、受信する商品リストに含まれる商品情報に対応付いている情報、または受信する商品リストに対応付いている情報である。また、補助情報は、店舗情報を有しても良い。店舗情報は、商品を販売する店舗に関する情報である。店舗情報は、店舗の位置を特定する位置情報を含むことを好適である。なお、位置情報は、例えば、（緯度，経度）であるが、住所等でも良い。また、補助情報は、例えば、商品情報に対応する商品を販売する店舗の他商品の情報、商品情報に対応する商品の値引きの情報、商品情報に対応する商品のクーポンの情報、商品情報に対応する商品を販売する店舗の情報（店舗のＵＲＬ等でも良い）、商品情報に対応する店舗と異なる他の店舗の情報、商品情報に対応する商品とライバルとなる商品の情報であり、商品情報に対応する店舗と異なる他の店舗の商品の情報等である。なお、すべての商品情報に対応付けて、補助情報は存在する必要はなく、商品リストが有する一部の商品情報に対応付けて補助情報が存在しても良い。
【００５６】
第一出力部１６は、第一受信部１５が受信した商品リスト情報を出力する。第一出力部１６は、第一受信部１５が受信した商品リスト情報が有する店舗情報に含まれる位置情報を用いて、店舗の位置が分かる態様で地図をも出力することは好適である。
【００５７】
ここで、商品リスト情報が出力された後、ユーザは、出力された情報を閲覧するだけでも良いし、出力された情報を用いて、商品を購入しても良い。
【００５８】
また、出力とは、通常、ディスプレイへの表示であるが、プロジェクターを用いた投影、プリンタでの印字、音出力、外部の装置への送信、記録媒体への蓄積、他の処理装置や他のプログラムなどへの処理結果の引渡しなどを含む概念であると考えても良い。
【００５９】
第二装置２を構成する第二格納部２１は、１以上の補助情報を格納し得る。第二格納部２１は、補助情報に対応付けて補助情報の属性情報を有しても良い。また、第二格納部２１は、店舗を識別する店舗識別子を格納していても良い。また、第二格納部２１は、自社（自店舗）と関連する店舗の店舗識別子や店舗情報を格納していても良い。また、第二格納部２１は、自店舗の店舗識別子と商品識別子と対応付けて、他の店舗の店舗識別子と商品情報を格納していても良い。なお、店舗識別子、または店舗情報に含まれる一の情報は、関連する店舗の第二装置２の通知先を示す情報（例えば、ＩＰアドレス、メールアドレス、ＭＡＣアドレス等）である。また、補助情報の属性情報とは、例えば、補助情報の種類を示す情報（例えば、商品に関する情報、店舗に関する情報、店舗のウェブページを特定するＵＲＬ等）である。
【００６０】
第二受付部２２は、店舗の者から、指示や情報を受け付ける。情報は、例えば、補助情報である。指示は、例えば、補助情報の送信の指示、商品情報または商品リストまたは商品リスト情報の出力の指示等である。なお、補助情報の送信の指示は、補助情報をサーバ装置３に送信する指示である。出力の指示は、サーバ装置３から商品情報等を受信して、第二装置２で出力する指示である。なお、出力の指示は、取得の指示と言っても良い。
【００６１】
指示や情報の入力手段は、キーボードやマウスやタッチパネルやメニュー画面によるもの等、何でも良い。第二受付部２２は、キーボード等の入力手段のデバイスドライバーや、メニュー画面の制御ソフトウェア等で実現され得る。
【００６２】
第二処理部２３は、補助情報を取得する。この補助情報は、第二受信部２５が受信した商品情報に関係する補助情報、または第二受信部２５が受信した補助情報に関係する他の補助情報、または第二受信部２５が受信した商品情報と補助情報とに関係する他の補助情報等である。
【００６３】
また、第二処理部２３は、第二受信部２５が受信した商品リストに含まれる商品情報を用いて、補助情報を取得する。ここで、取得される補助情報は、第二受信部２５が受信した商品情報が有する商品識別子に対応する情報（例えば、当該商品の値引きの情報、当該商品に対応するクーポンの情報等）でも良いし、第二受信部２５が受信した商品情報が有する商品識別子に関連する商品識別子で識別される商品情報でも良いし、第二受信部２５が受信した商品情報が有する店舗識別子で識別される店舗の情報でも良いし、第二受信部２５が受信した商品情報が有する店舗識別子に関連する店舗識別子で識別される店舗の情報でも良いし、第二受信部２５が受信した商品情報が有する店舗識別子と商品関連情報に対応する店舗識別子と商品関連情報等でも良い。
【００６４】
第二処理部２３は、第二受付部２２が送信の指示を受け付けた場合、当該指示に含まれる補助情報と、店舗識別子とを有する送信指示を構成する。なお、この店舗識別子は、通常、第二処理部２３が第二格納部２１から取得した情報である。
【００６５】
第二処理部２３は、第二受付部２２が出力の指示を受け付けた場合、店舗識別子を有する出力指示を構成する。なお、この店舗識別子は、通常、第二処理部２３が第二格納部２１から取得した情報である。
【００６６】
第二送信部２４は、第二処理部２３が取得した補助情報をサーバ装置３に送信する。また、第二送信部２４は、店舗の者が入力し、第二受付部２２が受け付けた補助情報をサーバ装置３に送信しても良い。つまり、第二送信部２４が送信する補助情報は、第二装置２のユーザである店舗の者が入力しても良いし、第二装置２が自動的に取得しても良い。
【００６７】
第二送信部２４は、通常、第二受信部２５が受信した商品リストに含まれる商品情報に対応付く態様で、補助情報をサーバ装置３に送信する。また、第二送信部２４は、第二受信部２５が受信した商品リストに対応付く態様で、補助情報をサーバ装置３に送信しても良い。
【００６８】
第二送信部２４は、第二処理部２３が構成した送信指示をサーバ装置３に送信しても良い。
【００６９】
第二送信部２４は、第二処理部２３が構成した出力指示をサーバ装置３に送信しても良い。なお、出力指示は、取得指示と言っても良い。
【００７０】
第二送信部２４は、関連する他の店舗の第二装置２に、商品リスト、または商品リストと補助情報とを送信しても良い。なお、関連する他の店舗の店舗識別子は、第二格納部２１に管理されている、とする。
【００７１】
第二受信部２５は、商品リストをサーバ装置３から受信する。第二受信部２５は、補助情報をサーバ装置３から受信しても良い。
【００７２】
第二出力部２６は、第二受信部２５が受信した商品リスト、または補助情報を出力する。第二出力部２６は、第二受信部２５が受信した商品リストと補助情報とを出力しても良い。第二出力部２６は、通常、店舗の者からの指示により、商品リスト、または補助情報を出力する。ただし、ユーザからの指示なしに、第二受信部２５が商品リストまたは／および補助情報を受信し、第二出力部２６が出力しても良い。
【００７３】
サーバ装置３のユーザ情報格納部３０１は、１以上のユーザ情報を格納し得る。ユーザ情報は、ユーザに関する情報である。ユーザ情報は、例えば、ユーザを識別するユーザ識別子、氏名、住所（居住地でも良い）、年齢、性別、メールアドレス、電話番号、趣味等を有する。
【００７４】
店舗情報格納部３０２は、１以上の店舗情報を格納し得る。店舗情報は、店舗に関する情報である。店舗情報は、例えば、店舗を識別する店舗識別子、店舗の名称、住所（市町村や地区名等でも良い）、店舗の位置情報、電話番号、店舗のジャンル（例えば、洋服屋、レストラン、ファミレス等）等を有する。なお、店舗の位置情報は、住所でも良い。
【００７５】
ユーザ興味商品情報格納部３０３は、１以上のユーザ興味商品情報を格納し得る。ユーザ興味商品情報は、ユーザが興味を持っている商品、またはユーザが欲しい商品等に関する情報である。ユーザ興味商品情報は、商品リスト情報とユーザ識別子とを有する。ここで、ユーザ興味商品情報の中のユーザ識別子は、通常、商品リスト情報に一つ対応付いているが、複数のユーザ識別子が、商品リスト情報に対応付いていても良い。例えば、一の商品情報に一のユーザ識別子が対応付いていても良い。つまり、家族等の複数のユーザが一の商品リストまたは商品リスト情報を構成しても良い。
【００７６】
また、ユーザ興味商品情報は、制約情報等の情報を有しても良い。制約情報は、金額に関する制約の情報である。制約情報は、例えば、1か月に使用できる金額である。制約情報は、例えば、クレジットカードの利用枠の金額、または残り使用可能金額等である。なお、補助情報に含まれる商品の情報に対する商品は、制約情報で示される制約を満たす、とする。
【００７７】
関連店舗情報格納部３０４は、１以上の関連店舗情報を格納し得る。関連店舗情報とは、２以上の関連のある店舗を管理するための情報である。関連店舗情報は、２以上の関連のある各店舗を識別する２以上の店舗識別子を有する。また、関連店舗情報は、関連する店舗商品情報を管理する情報であっても良い。店舗商品情報とは、商品に関連する商品関連情報と店舗識別子との組である。商品関連情報は、商品情報に含まれる情報であり、例えば、商品の品目、商品名、商品識別子、商品のブランド名等の商品の属性値等である。
【００７８】
履歴情報格納部３０５は、ユーザ識別子と履歴情報との組を、１組以上格納し得る。履歴情報は、商品の購入履歴を示す情報であり、ユーザが購入した商品に関する情報である。履歴情報は、例えば、商品識別子、商品を購入した店舗の店舗識別子、金額、購入日または購入日時等を有する。
【００７９】
登録指示受信部３０６は、第一装置１から登録指示を受信する。
【００８０】
商品リスト蓄積部３０７は、登録指示受信部３０６が受信した登録指示が有する商品リストを、当該登録指示が有するユーザ識別子に対応付けてユーザ興味商品情報格納部３０３に蓄積する。
【００８１】
商品リスト送信部３０８は、ユーザ興味商品情報格納部３０３に格納されているユーザ興味商品情報が有する商品リストを、第一装置１または第二装置２に送信する。商品リスト送信部３０８は、ユーザ興味商品情報格納部３０３に格納されているユーザ興味商品情報が有する商品リスト情報を、第一装置１または第二装置２に送信しても良い。つまり、商品リスト送信部３０８は、商品リストに加えて補助情報を第一装置１または第二装置２に送信しても良い。また、商品リスト送信部３０８は、商品リストを送信せずに、補助情報を第一装置１または第二装置２に送信しても良い。
【００８２】
商品リスト送信部３０８は、商品リストに含まれる商品情報が有する店舗識別子とは異なる店舗識別子に対応する第二装置２に、商品情報、または商品情報と対になる補助情報、または商品情報および商品情報と対になる補助情報を送信しても良い。
【００８３】
また、商品リスト送信部３０８は、商品リストと制約情報とを、第一装置１または第二装置２に送信しても良い。商品リスト送信部３０８は、商品リスト情報と制約情報とを、第一装置１または第二装置２に送信しても良い。また、商品リスト送信部３０８は、商品リストを送信せずに、補助情報と制約情報とを、第一装置１または第二装置２に送信しても良い。
【００８４】
ここで、商品リスト送信部３０８が情報を送信するタイミングは問わない。商品リスト送信部３０８が情報を送信するタイミングは、例えば、ユーザまたは店舗の者からの指示を第一装置１または第二装置２から受信した場合、商品リストが受信された直後、予め決められた時刻（例えば、毎日、２０時など）、一の第二装置２に送信されるべき商品リストの量が閾値以上になった場合などである。また、商品リスト送信部３０８が情報を送信する第二装置２は、例えば、商品リストに含まれる店舗識別子に対応する第二装置２、商品リストに含まれる店舗識別子と関連する店舗識別子に対応する第二装置２、商品リストに含まれる商品名または品目に対応する店舗識別子に対応する第二装置等である。商品リスト送信部３０８は、商品リストを用いて、当該商品リストを送信する第二装置２を決定することは好適である。
【００８５】
商品リスト送信部３０８を構成する店舗識別子取得手段３０８１は、商品リストまたは商品情報を用いて、１以上の店舗識別子を取得する。なお、取得される店舗識別子は、商品リストまたは補助情報または制約情報等が送信される第二装置２に対応する店舗の識別子である。
【００８６】
店舗識別子取得手段３０８１は、商品リストに含まれる商品情報が有する店舗識別子と対になる１以上の店舗識別子を関連店舗情報格納部３０４から取得する。
【００８７】
また、店舗識別子取得手段３０８１は、商品リストに含まれる商品情報が有する店舗識別子と商品関連情報と対になる１以上の店舗識別子を関連店舗情報格納部３０４から取得しても良い。
【００８８】
また、店舗識別子取得手段３０８１は、商品リストに含まれる商品情報が有する店舗識別子と商品関連情報と対になる１以上の店舗識別子と商品関連情報の組を関連店舗情報格納部３０４から取得しても良い。
【００８９】
また、店舗識別子取得手段３０８１は、商品リストに含まれる１以上の商品情報を用いて、１以上の店舗識別子を店舗情報格納部３０２から取得しても良い。例えば、店舗識別子取得手段３０８１は、商品リストに含まれる商品情報が有する品目の商品を扱っている店舗の１以上の店舗識別子を、店舗情報格納部３０２から取得しても良い。また、例えば、店舗識別子取得手段３０８１は、商品リストに含まれる商品情報が有する品目の商品を扱っている店舗であり、当該商品リストに対応するユーザの住所と予め決められた条件を満たすほど近い店舗の１以上の店舗識別子を、店舗情報格納部３０２から取得しても良い。
【００９０】
商品リスト送信手段３０８２は、店舗識別子取得手段３０８１が取得した１以上の店舗識別子に対応する１以上の第二装置２に、商品情報、または商品情報と対になる補助情報、または商品情報と商品情報と対になる補助情報を送信する。
【００９１】
補助情報受信部３０９は、商品リスト送信部３０８が送信した商品リストが有する商品情報に対応付く態様で、または商品リスト送信部３０８が送信した商品リストに対応付く態様で、第二装置２から補助情報を受信する。
【００９２】
商品情報等と補助情報との対応付けの手段は問わない。商品情報等と補助情報とが一のレコードを構成していても良いし、補助情報が商品情報等を識別するＩＤを有していても良いし、補助情報が商品情報等へのポインタを有していても良い。
【００９３】
補助情報蓄積部３１０は、補助情報受信部３０９が受信した補助情報を、商品情報または商品リストに対応付けて、ユーザ興味商品情報格納部３０３に蓄積する。
【００９４】
取得指示受信部３１１は、第一装置１または第二装置２から取得指示を受信する。なお、取得指示は出力指示でも良い。また、例えば、第二装置２から受信する取得指示も、ユーザ識別子を有する。
【００９５】
商品リスト情報取得部３１２は、取得指示の受信に応じて、取得指示が有するユーザ識別子と対になる商品リスト情報を、ユーザ興味商品情報格納部３０３から取得する。
【００９６】
商品リスト情報取得部３１２は、補助情報受信部３０９が補助情報を受信した場合、当該補助情報に対応する商品情報が含まれる商品リスト情報を、ユーザ興味商品情報格納部３０３から取得しても良い。
【００９７】
商品リスト情報送信部３１３は、商品リスト情報取得部３１２が取得した商品リスト情報を、第一装置１に送信する。
【００９８】
関連店舗情報登録部３１４は、２以上の履歴情報から、２以上の店舗識別子を取得し、当該２以上の店舗識別子を有する１以上の関連店舗情報を構成し、関連店舗情報格納部３０４に蓄積する。なお、２以上の履歴情報は、ユーザ識別子とユーザ識別子で識別される一のユーザが商品を購入した履歴の情報であり、商品を購入した店舗の店舗識別子を含む。なお、履歴情報は、例えば、サーバ装置３で管理されていても良いし、外部の装置で管理されていても良い。履歴情報は、例えば、クレジットカードを用いて購入した商品の購入の情報である。また、２以上の店舗識別子は、一のユーザが、同日に購入している２以上の商品の２以上の店舗の識別子である。
【００９９】
第一格納部１１、第二格納部２１、ユーザ情報格納部３０１、店舗情報格納部３０２、ユーザ興味商品情報格納部３０３、関連店舗情報格納部３０４、履歴情報格納部３０５は、不揮発性の記録媒体が好適であるが、揮発性の記録媒体でも実現可能である。
【０１００】
第一格納部１１等にユーザ識別子等が記憶される過程は問わない。例えば、記録媒体を介してユーザ識別子等が第一格納部１１等で記憶されるようになってもよく、通信回線等を介して送信されたユーザ識別子等が第一格納部１１等で記憶されるようになってもよく、あるいは、入力デバイスを介して入力されたユーザ識別子等が第一格納部１１等で記憶されるようになってもよい。
【０１０１】
第一処理部１３、第二処理部２３、商品リスト蓄積部３０７、補助情報蓄積部３１０、商品リスト情報取得部３１２、関連店舗情報登録部３１４、店舗識別子取得手段３０８１は、通常、ＭＰＵやメモリ等から実現され得る。第一処理部１３等の処理手順は、通常、ソフトウェアで実現され、当該ソフトウェアはＲＯＭ等の記録媒体に記録されている。但し、ハードウェア（専用回路）で実現しても良い。
【０１０２】
第一送信部１４、第二送信部２４、商品リスト送信部３０８、商品リスト情報送信部３１３、商品リスト送信手段３０８２は、通常、無線または有線の通信手段で実現されるが、放送手段で実現されても良い。
【０１０３】
第一受信部１５、第二受信部２５、登録指示受信部３０６、補助情報受信部３０９、取得指示受信部３１１は、通常、無線または有線の通信手段で実現されるが、放送を受信する手段で実現されても良い。
【０１０４】
第一出力部１６、第二出力部２６は、ディスプレイやスピーカー等の出力デバイスを含むと考えても含まないと考えても良い。第一出力部１６は、出力デバイスのドライバーソフトまたは、出力デバイスのドライバーソフトと出力デバイス等で実現され得る。
【０１０５】
次に、販売促進システムの動作について説明する。まず、第一装置１の動作について、図３のフローチャートを用いて説明する。
【０１０６】
（ステップＳ３０１）第一受付部１２は、商品リストの登録の指示を受け付けたか否かを判断する。登録の指示を受け付ければステップＳ３０２に行き、登録の指示を受け付けなければステップＳ３０４に行く。なお、ここで、商品リストは、複数の商品情報を含むとは限らず、一つの商品情報のみを含んでも良い。
【０１０７】
（ステップＳ３０２）第一処理部１３は、ユーザ識別子を第一格納部１１から取得する。そして、第一処理部１３は、当該ユーザ識別子と受け付けられた指示が有する商品リストとを含む登録指示を構成する。
【０１０８】
（ステップＳ３０３）第一送信部１４は、ステップＳ３０２で構成された登録指示をサーバ装置３に送信する。ステップＳ３０１に戻る。
【０１０９】
（ステップＳ３０４）第一受付部１２は、商品リスト情報を取得する指示を受け付けたか否かを判断する。当該取得の指示を受け付ければステップＳ３０５に行き、取得の指示を受け付けなければステップＳ３０９に行く。
【０１１０】
（ステップＳ３０５）第一処理部１３は、ユーザ識別子を第一格納部１１から取得する。そして、第一処理部１３は、当該ユーザ識別子と受け付けられた取得の指示に含まれる商品リスト情報とを含む取得指示を構成する。
【０１１１】
（ステップＳ３０６）第一送信部１４は、ステップＳ３０５で構成された取得指示をサーバ装置３に送信する。
【０１１２】
（ステップＳ３０７）第一受信部１５は、取得指示の送信に応じて、商品リスト情報をサーバ装置３から受信したか否かを判断する。商品リスト情報を受信すればステップＳ３０８に行き、商品リスト情報を受信しなければステップＳ３０７に戻る。
【０１１３】
（ステップＳ３０８）第一出力部１６は、第一受信部１５が受信した商品リスト情報を出力する。ステップＳ３０１に戻る。
【０１１４】
（ステップＳ３０９）第一受付部１２は、商品の購入の指示を受け付けたか否かを判断する。購入の指示を受け付ければステップＳ３１０に行き、購入の指示を受け付けなければステップＳ３０１に戻る。なお、商品の購入の指示を受け付ける前に、通常、第一装置１は、購入の候補となる１以上の商品の情報を出力している。また、かかる購入の候補となる１以上の商品の情報が出力されるまでの処理は問わない。例えば、購入の候補となる１以上の商品の情報は、ステップＳ３０８で出力された商品リスト情報、または当該商品リスト情報を用いて取得された情報である。
【０１１５】
（ステップＳ３１０）第一処理部１３は、ユーザ識別子を第一格納部１１から取得する。そして、第一処理部１３は、当該ユーザ識別子と商品識別子を有する購入指示を構成する。なお、商品識別子は、受け付けられた購入の指示に含まれる。
【０１１６】
（ステップＳ３１１）第一送信部１４は、ステップＳ３１０で構成された購入指示をサーバ装置３に送信する。ステップＳ３０１に戻る。
【０１１７】
なお、図３のフローチャートにおいて、電源オフや処理終了の割り込みにより処理は終了する。
【０１１８】
次に、第二装置２の動作について、図４のフローチャートを用いて説明する。
【０１１９】
（ステップＳ４０１）第二受付部２２は、商品情報または商品リストまたは商品リスト情報の出力の指示を受け付けたか否かを判断する。出力の指示を受け付けた場合はステップＳ４０２に行き、出力の指示を受け付けない場合はステップＳ４０６に行く。
【０１２０】
（ステップＳ４０２）第二処理部２３は、第二格納部２１から店舗識別子を取得する。そして、第二処理部２３は、当該店舗識別子を有する出力指示を構成する。なお、店舗識別子は、通常、出力の指示に含まれる。また、第二処理部２３は、店舗識別子を有さない出力指示を構成しても良い。
【０１２１】
（ステップＳ４０３）第二送信部２４は、第二処理部２３が構成した出力指示をサーバ装置３に送信する。
【０１２２】
（ステップＳ４０４）第二受信部２５は、サーバ装置３から商品リスト等を受信したか否かを判断する。商品リスト等を受信した場合はステップＳ４０５に行き、商品リスト等を受信しなかった場合はステップＳ４０４に戻る。なお、商品リスト等とは、商品リストだけでも良いし、商品リストと補助情報でも良いし、補助情報のみでも良い。
【０１２３】
（ステップＳ４０５）第二出力部２６は、ステップＳ４０４で受信された商品リスト等を出力する。ステップＳ４０１に戻る。
【０１２４】
（ステップＳ４０６）第二受付部２２は、補助情報の入力、および当該補助情報の送信の指示を受け付けたか否かを判断する。送信の指示等を受け付けた場合はステップＳ４０７に行き、送信の指示等を受け付けない場合はステップＳ４０９に行く。
【０１２５】
（ステップＳ４０７）第二処理部２３は、第二格納部２１から店舗識別子を取得する。そして、第二処理部２３は、当該店舗識別子と補助情報とを有する送信指示を構成する。なお、補助情報は、送信の指示に含まれる。
【０１２６】
（ステップＳ４０８）第二送信部２４は、第二処理部２３が構成した送信指示をサーバ装置３に送信する。ステップＳ４０１に戻る。
【０１２７】
（ステップＳ４０９）第二受信部２５は、サーバ装置３から商品リスト等を受信したか否かを判断する。商品リスト等を受信した場合はステップＳ４１０に行き、商品リスト等を受信しなかった場合はステップＳ４０１に戻る。なお、本ステップにおいて、第二装置２は、自動的に商品リスト等を受信する。
【０１２８】
（ステップＳ４１０）第二処理部２３は、カウンタｉに１を代入する。
【０１２９】
（ステップＳ４１１）第二処理部２３は、ステップＳ４０９で受信された商品リスト等の中に、ｉ番目の商品情報が存在するか否かを判断する。ｉ番目の商品情報が存在すればステップＳ４１２に行き、ｉ番目の商品情報が存在しなければステップＳ４１７に行く。
【０１３０】
（ステップＳ４１２）第二処理部２３は、第二処理部２３は、ｉ番目の商品情報に対応する補助情報を取得する。なお、かかる補助情報取得処理について、図５のフローチャートを用いて説明する。
【０１３１】
（ステップＳ４１３）第二処理部２３は、ステップＳ４１２で補助情報が取得できたか否かを判断する。補助情報が取得できた場合はステップＳ４１４に行き、補助情報が取得できなかった場合はステップＳ４１６に行く。
【０１３２】
（ステップＳ４１４）第二処理部２３は、ｉ番目の商品情報に対応付けて、ステップＳ４１３で取得した補助情報を、図示しないバッファに一時蓄積する。
【０１３３】
（ステップＳ４１５）第二処理部２３は、カウンタｉを１、インクリメントする。ステップＳ４１１に戻る。
【０１３４】
（ステップＳ４１６）第二処理部２３は、店舗の者から、補助情報を受け付けたか否かを判断する。補助情報を受け付ければステップＳ４１４に行き、補助情報を受け付けなければステップＳ４１５に行く。
【０１３５】
（ステップＳ４１７）第二処理部２３は、商品リストに対応する補助情報を取得し、図示しないバッファに一時蓄積する。
【０１３６】
（ステップＳ４１８）第二送信部２４は、バッファに一時蓄積されている１以上の補助情報を取得する。そして、第二送信部２４は、１以上の補助情報をサーバ装置３に送信する。ステップＳ４０１に戻る。なお、１以上の各補助情報は、商品情報または商品リストに対応付けられている。
【０１３７】
なお、図４のフローチャートにおいて、補助情報は、すべて人手による入力により受け付けられても良い。つまり、図４のフローチャートにおいて、ステップＳ４１２において、補助情報が自動で取得できなかった場合に、人手による入力により取得したが、人手による入力により取得する処理を行わなくても良い。
【０１３８】
また、図４のフローチャートにおいて、補助情報が取得できなかった場合、第二送信部２４は、通常、補助情報をサーバ装置に送信しない。
【０１３９】
また、図４のフローチャートにおいて、商品リスト等の受信は、常に、店舗の者による指示によって行われても良い。
【０１４０】
さらに、図４のフローチャートにおいて、電源オフや処理終了の割り込みにより処理は終了する。
【０１４１】
次に、ステップＳ４１２の補助情報取得処理について、図５のフローチャートを用いて説明する。
【０１４２】
（ステップＳ５０１）第二処理部２３は、図４におけるｉ番目の商品情報が有する商品識別子と対になる補助情報を第二格納部２１から取得する。かかる補助情報は、商品識別子で識別される商品に関する情報であり、例えば、値引き情報又は商品のクーポン等である。なお、ここでは、商品識別子で識別される商品に関する情報が補助情報である。
【０１４３】
（ステップＳ５０２）第二処理部２３は、図４におけるｉ番目の商品情報と対になる他の商品情報を第二格納部２１から取得する。なお、ここでは、他の商品情報が補助情報である。
【０１４４】
（ステップＳ５０３）第二処理部２３は、図４におけるｉ番目の商品情報が有する店舗識別子で識別される店舗の店舗情報を第二格納部２１から取得する。なお、ここでは、店舗情報が補助情報である。
【０１４５】
（ステップＳ５０４）第二処理部２３は、図４におけるｉ番目の商品情報が有する店舗識別子と対になる店舗識別子で識別される店舗情報を、第二格納部２１から取得する。なお、ここでは、他の店舗の店舗情報が補助情報である。
【０１４６】
（ステップＳ５０５）第二処理部２３は、図４におけるｉ番目の商品情報が有する店舗識別子および商品関連情報と対になる店舗識別子で識別される店舗の店舗情報および商品関連情報の組を、第二格納部２１から取得する。上位処理にリターンする。なお、ここでは、他の店舗の店舗情報とその店舗の商品関連情報が補助情報である。
【０１４７】
なお、図５のフローチャートにおいて、ステップＳ５０１からステップＳ５０５までの一部の処理を行っても良い。
【０１４８】
次に、サーバ装置３の動作について、図６のフローチャートを用いて説明する。
【０１４９】
（ステップＳ６０１）登録指示受信部３０６は、第一装置１から登録指示を受信したか否かを判断する。登録指示を受信すればステップＳ６０２に行き、登録指示を受信しなければステップＳ６０６に行く。
【０１５０】
（ステップＳ６０２）商品リスト蓄積部３０７は、ステップＳ６０１で受信された登録指示が有する商品リストを、当該登録指示が有するユーザ識別子に対応付けてユーザ興味商品情報格納部３０３に蓄積する。
【０１５１】
（ステップＳ６０３）商品リスト送信部３０８は、商品リストを送信するタイミングであるか否かを判断する。商品リストを送信するタイミングであればステップＳ６０４に行き、商品リストを送信するタイミングでなければステップＳ６０１に戻る。なお、本ステップにおいて、常に商品リストを送信するタイミングであると判断しても良いし、常に商品リストを送信するタイミングでないと判断しても良い。
【０１５２】
（ステップＳ６０４）商品リスト送信部３０８を構成する店舗識別子取得手段３０８１は、商品リストを送信する店舗の店舗識別子を取得する。なお、かかる店舗識別子取得処理について、図７のフローチャートを用いて説明する。
【０１５３】
（ステップＳ６０５）商品リスト送信手段３０８２は、店舗識別子取得手段３０８１が取得した１以上の店舗識別子に対応する１以上の第二装置２に、ステップＳ６０１で受信された登録指示が有する商品リストを送信する。ステップＳ６０１に戻る。なお、ここで送信する商品リストは、ステップＳ６０１で受信された登録指示が有する商品リストのうちの一部の商品情報を有するものでも良い。また、ここで、商品リスト送信手段３０８２は、店舗識別子取得手段３０８１が取得した１以上の店舗識別子のうち、一部の店舗識別子に対応する１以上の第二装置２に、商品リストを送信しても良い。
【０１５４】
（ステップＳ６０６）商品リスト送信部３０８は、商品リストを送信するタイミングであるか否かを判断する。商品リストを送信するタイミングであればステップＳ６０７に行き、商品リストを送信するタイミングでなければステップＳ６１２に行く。なお、商品リストを送信するタイミングは、例えば、予め決められた時刻（例えば、２４：００）になった場合等である。
【０１５５】
（ステップＳ６０７）商品リスト送信部３０８は、カウンタｉに１を代入する。
【０１５６】
（ステップＳ６０８）ユーザ興味商品情報格納部３０３にｉ番目のユーザの商品リストが存在するか否かを判断する。ｉ番目のユーザの商品リストが存在すればステップＳ６０９に行き、ｉ番目のユーザの商品リストが存在しなければステップＳ６０１に戻る。なお、ここで、ｉ番目のユーザの商品リストが存在していても、商品リストが予め決められた条件を満たさない場合、ステップＳ６１１に行っても良い。予め決められた条件を満たさない場合とは、ユーザが許可を与えていない場合、商品リストに含まれる商品情報が閾値以内の数の場合等である。
【０１５７】
（ステップＳ６０９）店舗識別子取得手段３０８１は、商品リストを送信する店舗の店舗識別子を取得する。なお、かかる店舗識別子取得処理について、図７のフローチャートを用いて説明する。
【０１５８】
（ステップＳ６１０）商品リスト送信手段３０８２は、店舗識別子取得手段３０８１が取得した１以上の店舗識別子に対応する１以上の第二装置２に、ｉ番目のユーザの商品リストを送信する。なお、ここで送信する商品リストは、商品リストのうちの一部の商品情報を有するものでも良い。また、ここで、商品リスト送信手段３０８２は、店舗識別子取得手段３０８１が取得した１以上の店舗識別子のうち、一部の店舗識別子に対応する１以上の第二装置２に、商品リストを送信しても良い。
【０１５９】
（ステップＳ６１１）商品リスト送信部３０８は、カウンタｉを１、インクリメントする。ステップＳ６０８に戻る。
【０１６０】
（ステップＳ６１２）補助情報受信部３０９は、第二装置２から補助情報を受信したか否かを判断する。補助情報を受信すればステップＳ６１３に行き、補助情報を受信しなければステップＳ６１６に行く。
【０１６１】
（ステップＳ６１３）補助情報蓄積部３１０は、ステップＳ６１２で受信された補助情報を、商品情報または商品リストに対応付けて、ユーザ興味商品情報格納部３０３に蓄積する。
【０１６２】
（ステップＳ６１４）商品リスト情報取得部３１２は、ステップＳ６１２で受信された補助情報に対応する商品情報が含まれる商品リスト情報を、ユーザ興味商品情報格納部３０３から取得する。
【０１６３】
（ステップＳ６１５）商品リスト情報送信部３１３は、ステップＳ６１４で取得された商品リスト情報を、第一装置１に送信する。ステップＳ６０１に戻る。
【０１６４】
（ステップＳ６１６）取得指示受信部３１１は、第一装置１または第二装置２から、取得指示を受信したか否かを判断する。取得指示を受信すればステップＳ６１７に行き、取得指示を受信しなければステップＳ６１９に行く。なお、ここで、取得指示は、出力指示と言っても良い。
【０１６５】
（ステップＳ６１７）商品リスト情報取得部３１２は、ステップＳ６１６における取得指示の受信に応じて、当該取得指示が有するユーザ識別子と対になる商品リスト情報を、ユーザ興味商品情報格納部３０３から取得する。
【０１６６】
（ステップＳ６１８）商品リスト情報送信部３１３は、ステップＳ６１７で取得された商品リスト情報を、第一装置１または第二装置２に送信する。ステップＳ６０１に戻る。
【０１６７】
（ステップＳ６１９）取得指示受信部３１１は、第一装置１から購入指示を受信したか否かを判断する。購入指示を受信すればステップＳ６２０に行き、購入指示を受信しなければステップＳ６０１に戻る。
【０１６８】
（ステップＳ６２０）サーバ装置３の図示しない購入処理部は、購入指示に対応する商品の購入のための処理を行う。ステップＳ６０１に戻る。なお、購入のための処理は、公知技術であるので、詳細な説明を省略する。購入のための処理は、例えば、購入指示に含まれるユーザ識別子と対になるクレジット番号を取得し、当該クレジット番号を用いた、クレジットカードを使用した決済処理である。また、購入のための処理は、例えば、図示しない決済サーバに、購入指示に関する情報を送信する処理である。
【０１６９】
なお、図６のフローチャートにおいて、ステップＳ６１４、ステップＳ６１５の処理は存在しなくても良い。
【０１７０】
また、図６のフローチャートのステップＳ６１７において、商品リスト情報取得部３１２は、第二装置２から取得指示を受信し、かつ当該取得指示がユーザ識別子を有さなない場合、取得指示が有する店舗識別子で識別される店舗の店舗情報を取得し、当該店舗情報を用いて、送信する商品リストを決定しても良い。例えば、商品リスト情報取得部３１２は、店舗情報が有する店舗の住所に、予め決められた条件を満たすほど近い住所のユーザの商品リストを取得しても良い。また、例えば、商品リスト情報取得部３１２は、店舗情報が有する店舗の取扱い商品の品目含む商品リストを取得しても良い。
【０１７１】
さらに、図６のフローチャートにおいて、電源オフや処理終了の割り込みにより処理は終了する。
【０１７２】
次に、ステップＳ６０４等の店舗識別子取得処理について、図７のフローチャートを用いて説明する。
【０１７３】
（ステップＳ７０１）店舗識別子取得手段３０８１は、カウンタｊに１を代入する。
【０１７４】
（ステップＳ７０２）店舗識別子取得手段３０８１は、対象となる商品リストの中に、ｊ番目の商品情報が存在するか否かを判断する。ｊ番目の商品情報が存在すればステップＳ７０３に行き、ｊ番目の商品情報が存在しなければ上位処理にリターンする。
【０１７５】
（ステップＳ７０３）店舗識別子取得手段３０８１は、ｊ番目の商品情報と対になる店舗識別子を取得する。なお、ここで店舗識別子を取得できない場合もある。
【０１７６】
（ステップＳ７０４）店舗識別子取得手段３０８１は、ステップＳ７０３で取得した店舗識別子に関連する店舗識別子が、関連店舗情報格納部３０４に存在するか否かを判断する。関連する店舗識別子が存在すればステップＳ７０５に行き、関連する店舗識別子が存在しなければステップＳ７０７に行く。なお、ステップＳ７０３で店舗識別子を取得できない場合は、店舗識別子に関連する店舗識別子は存在しない。
【０１７７】
（ステップＳ７０５）店舗識別子取得手段３０８１は、ステップＳ７０３で取得した店舗識別子に関連する店舗識別子を関連店舗情報格納部３０４から取得する。
【０１７８】
（ステップＳ７０６）店舗識別子取得手段３０８１は、カウンタｊを１、インクリメントする。ステップＳ６０８に戻る。
【０１７９】
（ステップＳ７０７）店舗識別子取得手段３０８１は、予め決められた条件を満たす１以上の店舗識別子を取得する。なお、予め決められた条件とは、商品情報に対応する商品を取り扱っている店舗であり、ユーザ識別子で識別されるユーザの住所と店舗の位置情報から特定される店舗の位置とが予め決められた条件を満たすほど近い店舗である。店舗識別子取得手段３０８１は、ユーザ情報および店舗情報を用いて、１以上の店舗識別子を取得する。ステップＳ７０６に行く。
【０１８０】
なお、図７のフローチャートのステップＳ７０７において、取得した１以上の各店舗識別子と対になる他の店舗の１以上の店舗識別子を取得しても良い。
【０１８１】
以下、本実施の形態における販売促進システムの具体的な動作について説明する。販売促進システムの概念図は図１である。
【０１８２】
今、サーバ装置３のユーザ情報格納部３０１は、図８に示すユーザ情報管理表を保持している。ユーザ情報管理表は、「ユーザＩＤ」「住所」「年齢」「性別」「メールアドレス」「電話番号」「趣味」「家族ＩＤ」等を有する１以上のレコードを保持している。「ユーザＩＤ」はユーザ識別子である。「家族ＩＤ」は、ユーザが属するグループのＩＤ（ここでは、家族のＩＤである）。なお、図８において、ユーザ「Ａ」とユーザ「Ｘ」は家族である。
【０１８３】
また、店舗情報格納部３０２は、図９に示す店舗情報管理表を保持している。店舗情報管理表は、「店舗ＩＤ」「名称」「住所」「電話番号」「ジャンル」「ＵＲＬ」「ＩＰアドレス」等を有する１以上のレコードを保持している。「店舗ＩＤ」は店舗識別子である。「名称」は店舗の名称である。「住所」は、ここでは、店舗の位置情報に対応しているが、店舗情報は（経度，緯度）の情報を有しても良い。また、「ＵＲＬ」は店舗の商品を購入できるウェブページのＵＲＬである。「ＩＰアドレス」は第二装置２を識別する情報であり、店舗の者に情報（商品リスト等）を送信する場合に使用される。
【０１８４】
また、ユーザ興味商品情報格納部３０３は、図１０に示すユーザ興味商品情報管理表を保持している。ユーザ興味商品情報管理表は、「ＩＤ」「ユーザ興味商品情報」を有する１以上のレコードを保持している。「ＩＤ」はレコードを識別する情報である。「ユーザ興味商品情報」は、「ユーザＩＤ」「商品リスト情報」「制約情報」等を有する。「商品リスト情報」は「商品リスト」「補助情報」等を有する。「商品リスト」は、１または２以上の商品情報である。商品情報は、ここでは、「品目（商品名）」「予算（価格）」「店舗ＩＤ」を有する。「品目（商品名）」は、品目（商品の種類）でも良いし、具体的な商品を識別する商品名や商品識別子でも良い。「予算（価格）」は、ユーザが考えている予算でも良いし、具体的な商品の価格でも良い。「補助情報」は、「第一補助情報」「第二補助情報」「第二店舗ＩＤ」を有する。「第一補助情報」は、通常、「品目（商品名）」で示される商品を販売する店舗の補助情報である。「第二補助情報」は「第一補助情報」に対応する店舗以外の店舗の補助情報である。「第一補助情報」に対応する店舗以外の店舗は、例えば、「第一補助情報」に対応する店舗に関連する店舗である。なお、「第一補助情報」に対応する店舗は、通常、商品リストに含まれる店舗ＩＤで識別される店舗である。また、「第二店舗ＩＤ」は、「第二補助情報」に対応する店舗である。つまり、「第一補助情報」は、例えば、商品リストに含まれる店舗ＩＤで識別される店舗に関する情報（例えば、当該店舗の割引情報、当該店舗で使用できるクーポンやポイント等）である。また、「第二補助情報」は、例えば、「第二店舗ＩＤ」で識別される店舗に関する情報（例えば、当該店舗の割引情報、当該店舗で使用できるクーポンやポイント等）である。さらに、「制約情報」は、「利用限度額」「利用金額」を有する。「利用限度額」は、所定期間（例えば、１か月）における利用限度額である。「利用金額」は、所定期間（例えば、１か月）における利用金額である。
【０１８５】
また、関連店舗情報格納部３０４は、図１１に示す関連店舗情報管理表を保持している。関連店舗情報管理表は、「ＩＤ」「関連店舗情報」を有する１以上のレコードを保持している。「ＩＤ」はレコードを識別する情報である。「関連店舗情報」は、「第一関連店舗情報」「第二関連店舗情報」を有する。「第一関連店舗情報」は、「第一店舗ＩＤ」「第一商品関連情報」を有する。「第一関連店舗情報」は、「第一店舗ＩＤ」のみでも良い。また、「第二関連店舗情報」は、「第二店舗ＩＤ」「第二商品関連情報」を有する。「第二関連店舗情報」は、「第二店舗ＩＤ」のみでも良い。「第一店舗ＩＤ」と「第二店舗ＩＤ」は、店舗識別子である。「第一商品関連情報」「第二商品関連情報」は、商品に関連する情報であり、ここでは品目である。ただし、「第一商品関連情報」「第二商品関連情報」は、具体的な商品名や商品識別子、商品の属性値等でも良い。
【０１８６】
また、店舗ＩＤ「ｓ０００１」で識別される店舗の第二装置２の第二格納部２１は、図１２に示す補助情報管理表を保持している。補助情報管理表は「ＩＤ」「補助情報検検索条件」「補助情報」を有する１以上のレコードを保持している。「補助情報検検索条件」は補助情報を検索するための条件であり、「ＮＵＬＬ（−）」の場合は、常に条件を満足する。
【０１８７】
さらに、店舗ＩＤ「ｓ０００３」で識別される店舗の第二装置２の第二格納部２１は、図１３に示す補助情報管理表を保持している、とする。
【０１８８】
かかる状況において、以下の５つの具体例について説明する。
（具体例１）
【０１８９】
具体例１は、ユーザが入力した商品リストに関する補助情報を一の店舗の第二装置２がユーザの第一装置１に対して送信する場合である。なお、ユーザが入力した商品リストは、ユーザの買い物候補の１以上の商品情報を含む。
【０１９０】
具体例１において、まず、ユーザＩＤ「ｕ０００１」で識別されるユーザは、買い物候補の商品リストを登録するために、サーバ装置３にアクセスした、とする。そして、商品リストの登録画面が第一装置１に出力された、とする。
【０１９１】
次に、ユーザ「ｕ０００１」は、図１４に示すように、買い物候補の商品のリストである商品リスト（１４０１）を入力した、とする。本ユーザが入力した商品リストに含まれる商品情報は２つである。第一の商品情報は、品目「ジャケット」、予算「１８，０００」である。また、第一の商品情報は、品目「ベルト」である。第一の商品情報は、予算の情報を有さない。
【０１９２】
そして、ユーザ「ｕ０００１」は、図１４に示す「送信」ボタン（１４０２）を押下した、とする。すると、第一装置１の第一受付部１２は、図１４に示す商品リストの登録の指示を受け付ける。
【０１９３】
次に、第一処理部１３は、ユーザＩＤ「ｕ０００１」を第一格納部１１から取得する。そして、第一処理部１３は、当該ユーザＩＤ「ｕ０００１」と受け付けられた指示が有する商品リスト（図１４の２つの商品情報）とを含む登録指示を構成する。なお、登録指示は、例えば、「登録指示  「ユーザＩＤ：ｕ０００１」「品目：ジャケット，予算：１８，０００」「品目：ベルト，予算：」」である。次に、第一送信部１４は、当該登録指示をサーバ装置３に送信する。
【０１９４】
次に、サーバ装置３の登録指示受信部３０６は、第一装置１から登録指示「登録指示  「ユーザＩＤ：ｕ０００１」「品目：ジャケット，予算：１８，０００」「品目：ベルト，予算：」」を受信する。
【０１９５】
次に、商品リスト蓄積部３０７は、受信された登録指示が有する商品リスト「品目：ジャケット，予算：１８，０００」「品目：ベルト，予算：」を取得する。そして、商品リスト蓄積部３０７は、当該登録指示が有するユーザＩＤ「ｕ０００１」と、当該、商品リストとを、対応付けてユーザ興味商品情報管理表に蓄積する。なお、ここで蓄積された商品リストは、図１０の「ＩＤ＝３２１」のユーザＩＤと商品リストである。
【０１９６】
次に、店舗識別子取得手段３０８１は、例えば、商品リストを送信する店舗を以下のように選択する、とする。つまり、店舗識別子取得手段３０８１は、店舗識別子取得手段３０８１は、対象となる商品リスト第一の商品情報「品目：ジャケット，予算：１８，０００」を取得する。次に、店舗識別子取得手段３０８１は、「ユーザＩＤ：ｕ０００１」と対になるユーザ情報を構成する情報であり、予め決められたユーザの属性値「住所：大阪市・・・，年齢：４０，性別：男，・・・」をユーザ情報管理表から取得する。
【０１９７】
次に、店舗識別子取得手段３０８１は、例えば、店舗情報管理表から「大阪市」に住所を有する店舗であり、「品目：ジャケット」を扱っている店舗を選択する。なお、店舗情報管理表の店舗情報は、扱っている品目の情報を有する、とする。そして、店舗識別子取得手段３０８１は、例えば、店舗ＩＤ「ｓ０００１」を選択した、とする。
【０１９８】
次に、商品リスト送信手段３０８２は、店舗識別子取得手段３０８１が取得した店舗ＩＤ「ｓ０００１」に対応する第二装置２に、当該ユーザの商品リスト「品目：ジャケット，予算：１８，０００」「品目：ベルト，予算：」を送信する。
【０１９９】
次に、店舗ＩＤ「ｓ０００１」に対応する第二装置２の第二受信部２５は、サーバ装置３から商品リストを受信する。
【０２００】
次に、第二処理部２３は、第一の商品情報「品目：ジャケット，予算：１８，０００」を用いて、図１２の補助情報管理表から補助情報「全品１０％ＯＦＦ」「ネットで商品を購入頂くともれなくネクタイプレゼント」「ジャケット特別セール「３割引」」という３つの補助情報を取得し、図示しないバッファに一時蓄積する。なお、３つの補助情報は、図１２の「ＩＤ＝１，２，３」のレコードが有する補助情報である。
【０２０１】
また、第二処理部２３は、第二の商品情報「品目：ベルト，予算：」を用いて、図１２の補助情報管理表から補助情報「全品１０％ＯＦＦ」「ネットで商品を購入頂くともれなくネクタイプレゼント」という３つの補助情報を取得し、店舗ＩＤ「ｓ０００１」に対応付けて図示しないバッファに一時蓄積する。
【０２０２】
次に、第二送信部２４は、バッファに一時蓄積されている２つの商品情報に対する補助情報を取得する。そして、第二送信部２４は、取得した補助情報と店舗ＩＤとを商品情報に対応付く態様で、サーバ装置３に送信する。
【０２０３】
次に、サーバ装置３の補助情報受信部３０９は、第二装置２から補助情報と店舗ＩＤとを受信する。そして、補助情報蓄積部３１０は、受信された補助情報と店舗ＩＤとを、各商品情報に対応付けて、ユーザ興味商品情報管理表に蓄積する。つまり、図１０のユーザ興味商品情報管理表の１００１に、３つの補助情報「全品１０％ＯＦＦ」「ネットで商品を購入頂くともれなくネクタイプレゼント」「ジャケット特別セール「３割引」」、および店舗ＩＤ「ｓ０００１」が蓄積される。また、図１０のユーザ興味商品情報管理表の１００２に、２つの補助情報「全品１０％ＯＦＦ」「ネットで商品を購入頂くともれなくネクタイプレゼント」、および店舗ＩＤ「ｓ０００１」が蓄積される。
【０２０４】
次に、ユーザＩＤ「ｕ０００１」で識別されるユーザは、自分の第一装置１に、商品リスト情報の取得の指示を入力した、とする。
【０２０５】
次に、第一受付部１２は、商品リスト情報の取得の指示を受け付ける。次に、第一処理部１３は、ユーザＩＤ「ｕ０００１」を第一格納部１１から取得し、当該ユーザＩＤ「ｕ０００１」を含む取得指示を構成する。そして、第一送信部１４は、当該取得指示をサーバ装置３に送信する。
【０２０６】
次に、サーバ装置３の取得指示受信部３１１は、第一装置１からユーザＩＤ「ｕ０００１」を含む取得指示を受信する。そして、商品リスト情報取得部３１２は、取得指示の受信に応じて、取得指示が有するユーザＩＤと対になる商品リスト情報を、ユーザ興味商品情報管理表から取得する。そして、商品リスト情報送信部３１３は、商品リスト情報取得部３１２が取得した商品リスト情報を、第一装置１に送信する。
【０２０７】
次に、第一装置１の第一受信部１５は、取得指示の送信に応じて、商品リスト情報をサーバ装置３から受信する。そして、第一出力部１６は、第一受信部１５が受信した商品リスト情報を出力する。かかる出力例は、図１５である。
【０２０８】
なお、図１５において、「ＮＥＷ！」のアイコン（１５０１）をユーザが押下すれば、ジャケットの補助情報が出力される、とする。また、「ＮＥＷ！」のアイコン（１５０２）をユーザが押下すれば、ベルトの補助情報が出力される、とする。また、「ＮＥＷ！」のアイコンをユーザが押下すると、対応する店舗の情報や、店舗のＵＲＬで識別されるオンラインショップのウェブページが出力されても良い。
【０２０９】
なお、具体例１において、店舗識別子取得手段３０８１が、商品リストを送信する店舗を決定し、自動的に第二装置２に商品リストが送信された。しかし、第二装置２の店舗の者が手動により、ユーザの商品リストを取得し、第二装置２に出力するようにしても良いことは言うまでもない。
（具体例２）
【０２１０】
具体例２において、ユーザが入力した商品リストが一の店舗の第二装置２に送信される。そして、一の店舗の第二装置２から、ユーザの第一装置１および他の店舗の第二装置２に、商品リストと一の店舗の補助情報が送信される。次に、他の店舗の第二装置２から、当該他の店舗の補助情報がユーザの第一装置１に送信される。なお、他の店舗は一の店舗と関連がある店舗であり、その関連は、予め管理されている。
【０２１１】
具体例２において、まず、ユーザＩＤ「ｕ０００１」で識別されるユーザは、買い物候補の商品リストを登録するために、サーバ装置３にアクセスした、とする。そして、商品リスト登録画面が第一装置１に出力された、とする。
【０２１２】
次に、ユーザ「ｕ０００１」は、図１４に示すように、買い物候補の商品のリストである商品リストを入力した、とする。
【０２１３】
そして、ユーザ「ｕ０００１」は、図１４に示す「送信」ボタンを押下した、とする。すると、第一装置１の第一受付部１２は、図１４に示す商品リストの登録の指示を受け付ける。
【０２１４】
次に、第一処理部１３は、ユーザＩＤ「ｕ０００１」を第一格納部１１から取得する。そして、第一処理部１３は、当該ユーザＩＤ「ｕ０００１」と受け付けられた指示が有する商品リスト（図１４の２つの商品情報）とを含む登録指示を構成する。なお、登録指示は、例えば、「登録指示  「ユーザＩＤ：ｕ０００１」「品目：ジャケット，予算：１８，０００」「品目：ベルト，予算：」」である。次に、第一送信部１４は、当該登録指示をサーバ装置３に送信する。
【０２１５】
次に、サーバ装置３の登録指示受信部３０６は、第一装置１から登録指示を受信する。
【０２１６】
次に、商品リスト蓄積部３０７は、受信された登録指示が有する商品リストを取得する。そして、商品リスト蓄積部３０７は、当該登録指示が有するユーザＩＤ「ｕ０００１」と、当該、商品リストとを、対応付けてユーザ興味商品情報管理表に蓄積する。なお、ここで蓄積された商品リストは、図１０の「ＩＤ＝３２１」のユーザＩＤと商品リストである。
【０２１７】
次に、第二装置２のユーザは、ユーザＩＤ「ｕ０００１」の商品リストを出力する指示を、第二装置２に入力する。
【０２１８】
そして、第二受付部２２は、ユーザＩＤ「ｕ０００１」の商品リストを出力する指示を受け付ける。次に、第二処理部２３は、第二格納部２１から店舗ＩＤ「ｓ０００１」を取得する。そして、第二処理部２３は、当該店舗ＩＤを有する出力指示を構成する。次に、第二送信部２４は、第二処理部２３が構成した出力指示をサーバ装置３に送信する。
【０２１９】
次に、サーバ装置３の図示しない受信部は、出力指示を受信する。そして、商品リスト情報取得部３１２は、出力指示の受信に応じて、ユーザＩＤ「ｕ０００１」と対になる商品リストまたは商品リスト情報を、ユーザ興味商品情報管理表から取得する。そして、商品リスト情報送信部３１３は、取得された商品リストまたは商品リスト情報を、第二装置２に送信する。
【０２２０】
次に、第二装置２の第二受信部２５は、サーバ装置３からユーザＩＤ「ｕ０００１」の商品リストまたは商品リスト情報を受信する。次に、第二出力部２６は、受信された商品リストまたは商品リスト情報を出力する。
【０２２１】
そして、第二装置２のユーザは、ユーザＩＤ「ｕ０００１」の商品リストまたは商品リスト情報を見て、補助情報（例えば、品目「ジャケット」に対して「ジャケット３割引」）を入力した、とする。
【０２２２】
次に、第二送信部２４は、入力された補助情報を、ユーザＩＤ「ｕ０００１」および品目「ジャケット」に対応付けて、サーバ装置３に送信する。
【０２２３】
また、第二処理部２３は、第二格納部２１から関連する店舗の店舗ＩＤ（例えば、「ｓ０００２」）や店舗情報を取得する。なお、店舗ＩＤまたは店舗情報は、関連する店舗の第二装置２に、情報を送信するための情報を有する。
【０２２４】
そして、第二送信部２４は、ユーザＩＤ「ｕ０００１」の商品リスト、または商品リストと補助情報を、関連する店舗の第二装置２に送信する。なお、ここで、第二送信部２４は、店舗が補助情報を送信した（販売促進を行った）旨の情報を、関連する店舗の第二装置２に送信するだけでも良い。
【０２２５】
次に、サーバ装置３の補助情報受信部３０９は、ユーザＩＤ「ｕ０００１」および品目「ジャケット」に対応付けられた態様で、第二装置２から補助情報（例えば、「ジャケット３割引」）を受信する。そして、補助情報蓄積部３１０は、補助情報（例えば、「ジャケット３割引」）を、ユーザＩＤ「ｕ０００１」の商品情報（品目「ジャケット」）に対応付けて、ユーザ興味商品情報管理表に蓄積する。
【０２２６】
また、関連する店舗の第二装置２の第二受信部２５は、ユーザＩＤ「ｕ０００１」の商品リスト、または商品リスト情報と補助情報を受信する。そして、第二出力部２６は、受信された商品リスト、または商品リストと補助情報を出力する。なお、ここで、関連する店舗の者が、第二装置２を使用して、手動で、商品リスト、または商品リストと補助情報を取得しても良い。
【０２２７】
次に、関連する店舗の者は、自店舗の販売促進のために補助情報を、第二装置２に入力する。例えば、関連する店舗の者は、品目「ジャケット」に対して、補助情報「ジャケット５割引」を入力した、とする。すると、第二受付部２２は、店舗の者から、品目「ジャケット」に対応付いた、補助情報「ジャケット５割引」を受け付ける。
【０２２８】
次に、第二処理部２３は、店舗ＩＤ「ｓ０００２」を取得する。そして、第二処理部２３は、店舗ＩＤ「ｓ０００２」と補助情報「ジャケット５割引」とを、ユーザＩＤ「ｕ０００１」の商品情報（品目「ジャケット」）に対応付けて、バッファに一時蓄積する。
【０２２９】
次に、第二送信部２４は、バッファに一時蓄積されている補助情報を取得する。そして、第二送信部２４は、取得した補助情報と店舗ＩＤ「ｓ０００２」とをサーバ装置３に送信する。なお、この補助情報等は、「ジャケット５割引」であり、ユーザＩＤ「ｕ０００１」の商品情報（品目「ジャケット」）に対応付けられている。
【０２３０】
次に、サーバ装置３の補助情報受信部３０９は、第二装置２から補助情報を受信する。そして、補助情報蓄積部３１０は、受信された補助情報「ジャケット５割引」と店舗ＩＤ「ｓ０００２」とを、ユーザＩＤ「ｕ０００１」の商品情報（品目「ジャケット」）に対応付けて、ユーザ興味商品情報管理表に蓄積する。なお、補助情報「ジャケット５割引」は、第二補助情報であり、図１０の１００３の属性値となる。また、店舗ＩＤ「ｓ０００２」は第二店舗ＩＤであり、図１０の１００４の属性値となる。
【０２３１】
次に、ユーザＩＤ「ｕ０００１」で識別されるユーザは、商品リスト情報の取得の指示を第一装置１に入力した、とする。
【０２３２】
次に、第一装置１の第一受付部１２は、商品リスト情報の取得の指示を受け付ける。次に、第一処理部１３は、ユーザＩＤ「ｕ０００１」を第一格納部１１から取得し、当該ユーザＩＤ「ｕ０００１」を含む取得指示を構成する。そして、第一送信部１４は、当該取得指示をサーバ装置３に送信する。
【０２３３】
次に、サーバ装置３の取得指示受信部３１１は、第一装置１からユーザＩＤ「ｕ０００１」を含む取得指示を受信する。そして、商品リスト情報取得部３１２は、取得指示の受信に応じて、取得指示が有するユーザＩＤと対になる商品リスト情報を、ユーザ興味商品情報管理表から取得する。そして、商品リスト情報送信部３１３は、商品リスト情報取得部３１２が取得した商品リスト情報を、第一装置１に送信する。
【０２３４】
次に、第一装置１の第一受信部１５は、取得指示の送信に応じて、商品リスト情報をサーバ装置３から受信する。そして、第一出力部１６は、第一受信部１５が受信した商品リスト情報を出力する。かかる出力例は、図１６である。
【０２３５】
なお、図１６において、１６０１の「ＮＥＷ！」のアイコンをユーザが押下すれば、対応する第二補助情報「ジャケット５割引」が出力される、とする。なお、「ＮＥＷ！」のアイコンをユーザが押下すると、店舗ＩＤ「ｓ０００２」で識別される店舗の情報や、当該店舗のＵＲＬで識別されるオンラインショップのウェブページが出力されても良い。
（具体例３）
【０２３６】
具体例３において、ユーザが入力した商品リストが一の店舗の第二装置２に送信される。そして、一の店舗の第二装置２から、ユーザの第一装置１に、商品リストと一の店舗の補助情報が送信される。また、一の店舗と異なる他の店舗の第二装置２は、商品リスト、または商品リストと一の店舗の補助情報とを受信する。そして、他の店舗の第二装置２から、サーバ装置３経由で、ユーザの第一装置１に、商品リストと他の店舗の補助情報が送信される。
【０２３７】
なお、具体例３において、具体例２との差異は、店舗の第二装置２から、関連する他の店舗の第二装置２に情報が送信されない点である。つまり、具体例３において、一の店舗とは異なる他の店舗の第二装置２は、一の店舗の補助情報を含む商品リスト情報を受信し、出力する。そして、他の店舗の者は、ユーザの商品リストと一の店舗の補助情報を見て、自店舗の補助情報を入力する。
【０２３８】
従って、具体例３において、一の店舗の補助情報がサーバ装置３に送信されるまでの処理は、具体例２と同じであるので、その処理の説明を省略する。
【０２３９】
次に、一の店舗とは異なる他の店舗の者は、第二装置２に、ユーザＩＤ「ｕ０００１」の商品リスト情報の取得の指示を入力する。そして、第二装置２の第二受付部２２は、商品リスト情報の取得の指示を受け付ける。
【０２４０】
次に、第二処理部２３は、第二格納部２１から店舗ＩＤ「ｓ０００２」を取得する。そして、第二送信部２４は、第二処理部２３が構成した取得指示をサーバ装置３に送信する。なお、取得指示は、ユーザＩＤ「ｕ０００１」と店舗ＩＤ「ｓ０００２」とを有する。
【０２４１】
次に、サーバ装置３の取得指示受信部３１１は、第二装置２から取得指示を受信する。そして、商品リスト情報取得部３１２は、取得指示の受信に応じて、当該取得指示が有するユーザＩＤ「ｕ０００１」と対になる商品リスト情報を、ユーザ興味商品情報管理表から取得する。次に、商品リスト情報送信部３１３は、取得された商品リスト情報を、第二装置２に送信する。
【０２４２】
次に、第二装置２の第二受信部２５は、サーバ装置３から商品リスト情報を受信する。次に、第二出力部２６は、受信された商品リスト情報を出力する。
【０２４３】
次に、当該店舗の者は、商品リスト情報を見て、販促実施のために、補助情報を第二装置２に入力する。そして、第二装置２の第二受付部２２は、補助情報を受け付ける。なお、補助情報は、例えば、ユーザＩＤ「ｕ０００１」と商品情報とに対応付けて受け付けられる。
【０２４４】
次に、第二送信部２４は、受け付けられた補助情報と店舗ＩＤ「ｓ０００２」とをユーザＩＤ「ｕ０００１」と商品情報とに対応付けた態様で、サーバ装置３に送信する。
【０２４５】
次に、サーバ装置３の補助情報受信部３０９は、第二装置２から補助情報と店舗ＩＤ「ｓ０００２」とを受信する。そして、補助情報蓄積部３１０は、受信された補助情報と店舗ＩＤ「ｓ０００２」とを、ユーザＩＤ「ｕ０００１」と商品情報とに対応付けて、図１０のユーザ興味商品情報管理表に蓄積する。なお、補助情報は図１０の１００３の属性値となり、店舗ＩＤ「ｓ０００２」は図１０の１００４の属性値となる。
【０２４６】
次に、ユーザＩＤ「ｕ０００１」で識別されるユーザは、商品リスト情報の取得の指示を第一装置１に入力した、とする。
【０２４７】
次に、第一装置１の第一受付部１２は、商品リスト情報の取得の指示を受け付ける。次に、第一処理部１３は、ユーザＩＤ「ｕ０００１」を第一格納部１１から取得し、当該ユーザＩＤ「ｕ０００１」を含む取得指示を構成する。そして、第一送信部１４は、当該取得指示をサーバ装置３に送信する。
【０２４８】
次に、サーバ装置３の取得指示受信部３１１は、第一装置１からユーザＩＤ「ｕ０００１」を含む取得指示を受信する。そして、商品リスト情報取得部３１２は、取得指示の受信に応じて、取得指示が有するユーザＩＤと対になる商品リスト情報を、ユーザ興味商品情報管理表から取得する。そして、商品リスト情報送信部３１３は、商品リスト情報取得部３１２が取得した商品リスト情報を、第一装置１に送信する。
【０２４９】
次に、第一装置１の第一受信部１５は、取得指示の送信に応じて、商品リスト情報をサーバ装置３から受信する。そして、第一出力部１６は、第一受信部１５が受信した商品リスト情報を出力する。かかる出力例は、図１６である。
（具体例４）
【０２５０】
具体例４において、ユーザの購入履歴を用いて、２以上の店舗の関連を取得し、当該２以上の店舗の第二装置２が、ユーザの第一装置１に、商品リスト補助情報を送信する。
【０２５１】
ユーザＩＤ「ｕ０００１」で識別されるユーザは、店舗ＩＤ「ｓ０００１」で識別される店舗でクレジットカードを用いた買い物を行い、その後、店舗ＩＤ「ｓ０００２」で識別される店舗でクレジットカードを用いた買い物を行ったとする。そして、２店舗での買い物の２つの記録が２つの履歴情報として、図示しない装置に格納されている、とする。
【０２５２】
そして、関連店舗情報登録部３１４は、図示しない装置から、ユーザＩＤと購入日（取引日）とが一致する複数の履歴情報を取得し、当該複数の履歴情報が有する複数の店舗ＩＤを取得する。ここでは、関連店舗情報登録部３１４は、店舗ＩＤ「ｓ０００１」と店舗ＩＤ「ｓ０００２」とを取得する。そして、関連店舗情報登録部３１４は、店舗ＩＤ「ｓ０００１」と店舗ＩＤ「ｓ０００２」とを有する関連店舗情報を構成し、図示しないバッファに一時蓄積する。
【０２５３】
次に、店舗ＩＤ「ｓ０００１」で識別される店舗の第二装置２と店舗ＩＤ「ｓ０００２」で識別される店舗の第二装置２の両装置から、両店舗が合同で販売促進を行うことに同意する旨の情報をサーバ装置３に送信した、とする。なお、両店舗が合同で販売促進を行うことに同意する旨の情報が入力される前に、通常、サーバ装置３は、両装置に、両店舗が合同で販売促進を行うか否かを問い合わせる情報を送信している、とする。
【０２５４】
そして、サーバ装置３は、２つの第二装置２から、両店舗が合同で販売促進を行うことに同意する旨の情報を受信した場合に、店舗ＩＤ「ｓ０００１」と店舗ＩＤ「ｓ０００２」とを有する関連店舗情報を、関連店舗情報管理表に登録する。なお、この関連店舗情報は、図１１の「ＩＤ＝１」のレコードである。
【０２５５】
次に、ユーザ「ｕ０００１」は、図１４に示すように、買い物候補の商品のリストである商品リストを入力した、とする。
【０２５６】
そして、ユーザ「ｕ０００１」は、図１４に示す「送信」ボタンを押下した、とする。すると、第一装置１の第一受付部１２は、図１４に示す商品リストの登録の指示を受け付ける。
【０２５７】
次に、第一処理部１３は、ユーザＩＤ「ｕ０００１」を第一格納部１１から取得する。そして、第一処理部１３は、当該ユーザＩＤ「ｕ０００１」と受け付けられた指示が有する商品リスト（図１４の２つの商品情報）とを含む登録指示を構成する。なお、登録指示は、例えば、「登録指示  「ユーザＩＤ：ｕ０００１」「品目：ジャケット，予算：１８，０００」「品目：ベルト，予算：」」である。次に、第一送信部１４は、当該登録指示をサーバ装置３に送信する。
【０２５８】
次に、サーバ装置３の登録指示受信部３０６は、第一装置１から登録指示を受信する。
【０２５９】
次に、商品リスト蓄積部３０７は、受信された登録指示が有する商品リストを取得する。そして、商品リスト蓄積部３０７は、当該登録指示が有するユーザＩＤ「ｕ０００１」と、当該、商品リストとを対応付けてユーザ興味商品情報管理表に蓄積する。なお、ここで蓄積された商品リストは、図１０の「ＩＤ＝３２１」のユーザＩＤと商品リストである。
【０２６０】
次に、第二装置２の店舗の者は、ユーザＩＤ「ｕ０００１」の商品リストを出力する指示を、第二装置２に入力する。
【０２６１】
そして、第二受付部２２は、ユーザＩＤ「ｕ０００１」の商品リストを出力する指示を受け付ける。次に、第二処理部２３は、第二格納部２１から店舗ＩＤ「ｓ０００１」を取得する。そして、第二処理部２３は、当該店舗ＩＤを有する出力指示を構成する。次に、第二送信部２４は、第二処理部２３が構成した出力指示をサーバ装置３に送信する。
【０２６２】
次に、サーバ装置３の図示しない受信部は、出力指示を受信する。そして、商品リスト情報取得部３１２は、出力指示の受信に応じて、ユーザＩＤ「ｕ０００１」と対になる商品リストまたは商品リスト情報を、ユーザ興味商品情報管理表から取得する。そして、商品リスト情報送信部３１３は、取得された商品リストまたは商品リスト情報を、第二装置２に送信する。
【０２６３】
次に、第二装置２の第二受信部２５は、サーバ装置３からユーザＩＤ「ｕ０００１」の商品リストまたは商品リスト情報を受信する。次に、第二出力部２６は、受信された商品リストまたは商品リスト情報を出力する。
【０２６４】
そして、第二装置２のユーザは、ユーザＩＤ「ｕ０００１」の商品リストまたは商品リスト情報を見て、補助情報（例えば、品目「ジャケット」に対して「ジャケット３割引」）を入力した、とする。
【０２６５】
次に、第二送信部２４は、入力された補助情報を、ユーザＩＤ「ｕ０００１」および品目「ジャケット」に対応付けて、サーバ装置３に送信する。
【０２６６】
次に、サーバ装置３の補助情報受信部３０９は、ユーザＩＤ「ｕ０００１」および品目「ジャケット」に対応付けられた態様で、第二装置２から補助情報（例えば、「ジャケット３割引」）を受信する。そして、補助情報蓄積部３１０は、補助情報（例えば、「ジャケット３割引」）を、ユーザＩＤ「ｕ０００１」の商品情報（品目「ジャケット」）に対応付けて、ユーザ興味商品情報管理表に蓄積する。
【０２６７】
次に、商品リスト情報取得部３１２は、受信された補助情報に対応する商品情報が含まれる商品リスト情報を、ユーザ興味商品情報管理表から取得する。
【０２６８】
次に、店舗識別子取得手段３０８１は、商品リストに含まれる商品情報が有する店舗ＩＤ「ｓ０００１」と対になる店舗ＩＤ「ｓ０００２」を関連店舗情報管理表から取得する。また、店舗識別子取得手段３０８１は、商品リストに含まれる商品情報が有する店舗ＩＤ「ｓ０００１」および商品関連情報「ジャケット」と対になる店舗ＩＤ「ｓ０００３」および商品関連情報「ジャケット」を関連店舗情報管理表（図１１参照）から取得する。
【０２６９】
そして、第二送信部２４は、ユーザＩＤ「ｕ０００１」の商品リスト、または商品リストと店舗ＩＤ「ｓ０００１」に対応する補助情報を、店舗ＩＤ「ｓ０００２」で識別される店舗の第二装置２と店舗ＩＤ「ｓ０００３」で識別される店舗の第二装置２とに送信する。なお、ここで、第二送信部２４は、店舗が補助情報を送信した（販売促進を行った）旨の情報を、店舗ＩＤ「ｓ０００２」で識別される店舗の第二装置２と店舗ＩＤ「ｓ０００３」で識別される店舗の第二装置２とに送信するだけでも良い。
【０２７０】
また、店舗ＩＤ「ｓ０００２」で識別される店舗の第二装置２と店舗ＩＤ「ｓ０００３」で識別される店舗の第二装置２の第二受信部２５は、ユーザＩＤ「ｕ０００１」の商品リスト、または商品リスト情報と補助情報を受信する。そして、２つの第二装置２の第二出力部２６は、受信された商品リスト、または商品リストと補助情報を出力する。なお、ここで、関連する店舗の者が、第二装置２を使用して、手動で、商品リスト、または商品リストと補助情報を取得しても良い。
【０２７１】
次に、２つの第二装置２に対応する各店舗の者は、自店舗の販売促進のために補助情報を、各第二装置２に入力する。
【０２７２】
例えば、店舗ＩＤ「ｓ０００２」で識別される店舗の者は、品目「ジャケット」に対して、補助情報「ジャケット５割引」を入力した、とする。すると、店舗ＩＤ「ｓ０００２」に対応する第二受付部２２は、当該店舗の者から、品目「ジャケット」に対応付いた、補助情報「ジャケット５割引」を受け付ける。
【０２７３】
次に、店舗ＩＤ「ｓ０００２」に対応する第二装置２の第二処理部２３は、店舗ＩＤ「ｓ０００２」を取得する。そして、第二処理部２３は、店舗ＩＤ「ｓ０００２」と補助情報「ジャケット５割引」とを、ユーザＩＤ「ｕ０００１」の商品情報（品目「ジャケット」）に対応付けて、バッファに一時蓄積する。
【０２７４】
次に、第二送信部２４は、バッファに一時蓄積されている補助情報を取得する。そして、第二送信部２４は、取得した補助情報と店舗ＩＤ「ｓ０００２」とをサーバ装置３に送信する。なお、この補助情報等は、「ジャケット５割引」であり、ユーザＩＤ「ｕ０００１」の商品情報（品目「ジャケット」）に対応付けられている。
【０２７５】
次に、サーバ装置３の補助情報受信部３０９は、店舗ＩＤ「ｓ０００２」に対応する第二装置２から補助情報を受信する。そして、補助情報蓄積部３１０は、受信された補助情報「ジャケット５割引」と店舗ＩＤ「ｓ０００２」とを、ユーザＩＤ「ｕ０００１」の商品情報（品目「ジャケット」）に対応付けて、ユーザ興味商品情報管理表に蓄積する。なお、補助情報「ジャケット５割引」は、第二補助情報であり、図１０の１００３の属性値となる。また、店舗ＩＤ「ｓ０００２」は第二店舗ＩＤであり、図１０の１００４の属性値となる。
【０２７６】
また、例えば、店舗ＩＤ「ｓ０００３」で識別される店舗の者は、品目「ベルト」に対して、補助情報「ベルトが大安売り。８割引！」を入力した、とする。すると、店舗ＩＤ「ｓ０００３」に対応する第二受付部２２は、当該店舗の者から、品目「ベルト」に対応付いた、補助情報「ベルトが大安売り。８割引！」を受け付ける。
【０２７７】
次に、店舗ＩＤ「ｓ０００３」に対応する第二装置２の第二処理部２３は、店舗ＩＤ「ｓ０００３」を取得する。そして、第二処理部２３は、店舗ＩＤ「ｓ０００３」と補助情報「ベルトが大安売り。８割引！」とを、ユーザＩＤ「ｕ０００１」の商品情報（品目「ベルト」）に対応付けて、バッファに一時蓄積する。
【０２７８】
次に、第二送信部２４は、バッファに一時蓄積されている補助情報を取得する。そして、第二送信部２４は、取得した補助情報と店舗ＩＤ「ｓ０００３」とをサーバ装置３に送信する。なお、この補助情報等は、「ベルトが大安売り。８割引！」であり、ユーザＩＤ「ｕ０００１」の商品情報（品目「ベルト」）に対応付けられている。
【０２７９】
次に、サーバ装置３の補助情報受信部３０９は、店舗ＩＤ「ｓ０００３」に対応する第二装置２から補助情報を受信する。そして、補助情報蓄積部３１０は、受信された補助情報「ベルトが大安売り。８割引！」と店舗ＩＤ「ｓ０００３」とを、ユーザＩＤ「ｕ０００１」の商品情報（品目「ベルト」）に対応付けて、ユーザ興味商品情報管理表に蓄積する。なお、補助情報「ベルトが大安売り。８割引！」は、第二補助情報であり、図１０の１００５の属性値となる。また、店舗ＩＤ「ｓ０００３」は第二店舗ＩＤであり、図１０の１００６の属性値となる。
【０２８０】
次に、ユーザＩＤ「ｕ０００１」で識別されるユーザは、商品リスト情報の取得の指示を第一装置１に入力した、とする。
【０２８１】
次に、第一装置１の第一受付部１２は、商品リスト情報の取得の指示を受け付ける。次に、第一処理部１３は、ユーザＩＤ「ｕ０００１」を第一格納部１１から取得し、当該ユーザＩＤ「ｕ０００１」を含む取得指示を構成する。そして、第一送信部１４は、当該取得指示をサーバ装置３に送信する。
【０２８２】
次に、サーバ装置３の取得指示受信部３１１は、第一装置１からユーザＩＤ「ｕ０００１」を含む取得指示を受信する。そして、商品リスト情報取得部３１２は、取得指示の受信に応じて、取得指示が有するユーザＩＤと対になる商品リスト情報を、ユーザ興味商品情報管理表から取得する。そして、商品リスト情報送信部３１３は、商品リスト情報取得部３１２が取得した商品リスト情報を、第一装置１に送信する。
【０２８３】
次に、第一装置１の第一受信部１５は、取得指示の送信に応じて、商品リスト情報をサーバ装置３から受信する。そして、第一出力部１６は、第一受信部１５が受信した商品リスト情報を出力する。かかる出力例は、図１７である。
【０２８４】
なお、図１７において、１７０１、１７０２、１７０３は、例えば、アンカーであり、ユーザが押下すれば、対応する店舗の情報や、当該店舗のＵＲＬで識別されるオンラインショップのウェブページが出力されても良い。
【０２８５】
また、具体例４において、自分の購入履歴を用いて、２以上の店舗の関連を取得し、当該２以上の店舗の第二装置２が、ユーザの第一装置１に、商品リスト補助情報を送信した。しかし、他人である１以上のユーザの購入履歴を用いて、２以上の店舗の関連を取得し、当該２以上の店舗の第二装置２が、一のユーザの第一装置１に、商品リスト補助情報を送信しても良い。
（具体例５）
【０２８６】
具体例５において、複数人のユーザ（ここでは、夫婦二人）で一の商品リストが作成され、利用される場合である。
【０２８７】
具体例５において、まず、家族ＩＤ「ｆ０００１」で識別されるユーザＩＤ「ｕ０００１」と「ｕ３１０５」で識別される二人のユーザのうちの一のユーザ（ここでは、ユーザＩＤ「ｕ０００１」で識別されるユーザ）は、買い物候補の商品リストを登録するために、サーバ装置３にアクセスした、とする。そして、商品リスト登録画面が第一装置１に出力された、とする。
【０２８８】
次に、ユーザ「ｕ０００１」は、図１４に示すように、買い物候補の商品のリストである商品リストを入力した、とする。本ユーザが入力した商品リストに含まれる商品情報は２つである。第一の商品情報は、品目「ジャケット」、予算「１８，０００」である。また、第二の商品情報は、品目「スカート」、予算「３５，０００」である。また、家族ＩＤ「ｆ０００１」で識別される家族の利用限度額は「５５，０００」である。さらに、第一の商品情報は、ユーザ「Ａ」が欲しい商品に関する情報であり、第二の商品情報は、ユーザ「Ｘ」が欲しい商品に関する情報である。
【０２８９】
そして、ユーザ「ｕ０００１」は、図１８に示す「送信」ボタンを押下した、とする。すると、第一装置１の第一受付部１２は、図１８に示す商品リストの登録の指示を受け付ける。
【０２９０】
次に、第一処理部１３は、家族ＩＤ「ｆ０００１」を第一格納部１１から取得する。そして、第一処理部１３は、当該家族ＩＤ「ｆ０００１」と受け付けられた指示が有する商品リスト（図１４の２つの商品情報）とを含む登録指示を構成する。次に、第一送信部１４は、当該登録指示をサーバ装置３に送信する。
【０２９１】
次に、サーバ装置３の登録指示受信部３０６は、第一装置１から登録指示「登録指示  「家族ＩＤ：ｆ０００１」「ユーザＩＤ：ｕ０００１，品目：ジャケット，予算：１８，０００」「ユーザＩＤ：ｕ３１０５，品目：スカート，予算：３５，０００」」を受信する。
【０２９２】
次に、商品リスト蓄積部３０７は、受信された登録指示が有する「家族ＩＤ：ｆ０００１」、およびユーザＩＤと商品リスト「ユーザＩＤ：ｕ０００１，品目：ジャケット，予算：１８，０００」「ユーザＩＤ：ｕ３１０５，品目：スカート，予算：３５，０００」を取得する。そして、商品リスト蓄積部３０７は、当該登録指示が有する「家族ＩＤ：ｆ０００１」と、当該ユーザＩＤと商品リストとを、対応付けてユーザ興味商品情報管理表に蓄積する。なお、ここで蓄積された商品リストは、図１０の「ＩＤ＝５１１」のユーザＩＤと商品リスト等である。
【０２９３】
家族の商品リストが登録された後に、補助情報が対応付けられて蓄積される処理、およびユーザに補助情報が提示される処理等は、上記の具体例と同じであるので、説明を省略する。
【０２９４】
以上、本実施の形態によれば、店舗とユーザの両者にとって、適切な販売促進活動を行うことができる。
【０２９５】
また、本実施の形態において、例えば、一の店舗と他の店舗の組合せに対して、ユーザが複数の商品を購入すると、別個に購入するよりも安価になるように、一の店舗の第二装置２または他の店舗第二装置２から、補助情報がサーバ装置３に送信されても良い。また、サーバ装置３に対して「組合せで購入すると安くなる」というチケットを第一装置１で印刷可能、あるいは第一装置１に表示可能にし、それを店舗に提示する、あるいは、クレジットカードで支払うと、後払いなので別個に購入するよりも安価になるようにしても良い。
【０２９６】
また、本実施の形態において、第一装置１は、図１５から図１８に示すように、商品リスト情報を出力した。しかし、第一装置１は、図１９に示すように、店舗が存在する地域に分類して、商品リスト情報を出力しても良い。図１９において、各商品に対応付いて、梅田（大阪市の梅田）地域の店舗の補助情報が出力され得る状況である。つまり、図１９において、「ＮＥＷ！」のアイコン（１９０１）をユーザが押下すれば、梅田地域の店舗のジャケットの補助情報が出力される。また、図１９において、「ＮＥＷ！」のアイコン（１９０２）をユーザが押下すれば、梅田地域の店舗のベルトの補助情報が出力される。さらに、図１９の１９０３のタブを押下すると、各商品に対応付いて、難波地域の店舗の補助情報に対応する「ＮＥＷ！」のアイコンが出力される。
【０２９７】
なお、図１９において、サーバ装置３は、店舗の位置情報（例えば、住所）を用いて、地域ごとに分類する。つまり、商品リスト情報取得部３１２は、店舗の位置情報を用いて、補助情報を地域ごとに分類し、商品リスト情報を構成する。そして、商品リスト送信部３０８は、構成された商品リスト情報を第一装置１に送信する。
【０２９８】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるサーバ装置３を実現するソフトウェアは、以下のようなプログラムである。つまり、このプログラムは、記憶媒体は、商品リスト情報とユーザ識別子とを有する１以上のユーザ興味商品情報を格納し得るユーザ興味商品情報格納部を具備し、コンピュータを、商品リストとユーザ識別子とを含む登録指示を第一装置から受信する登録指示受信部と、前記登録指示受信部が受信した登録指示が有する商品リストを、登録指示が有するユーザ識別子に対応付けて前記ユーザ興味商品情報格納部に蓄積する商品リスト蓄積部と、前記ユーザ興味商品情報格納部に格納されているユーザ興味商品情報が有する商品リストを、第二装置に送信する商品リスト送信部と、前記商品リスト送信部が送信した商品リストが有する商品情報に対応付く態様で、または前記商品リスト送信部が送信した商品リストに対応付く態様で、前記第二装置から補助情報を受信する補助情報受信部と、前記補助情報受信部が受信した補助情報を、前記商品情報または前記商品リストに対応付けて、前記ユーザ興味商品情報格納部に蓄積する補助情報蓄積部と、商品リスト情報を取得する指示であり、ユーザ識別子を有する取得指示を前記第一装置から受信する取得指示受信部と、前記取得指示の受信に応じて、当該取得指示が有するユーザ識別子と対になる商品リスト情報を取得する商品リスト情報取得部と、前記商品リスト情報取得部が取得した商品リスト情報を、前記第一装置に送信する商品リスト情報送信部として機能させるためのプログラムである。
【０２９９】
また、上記プログラムにおいて、前記商品情報は、当該商品を販売する店舗を識別する店舗識別子を有し、前記商品リスト送信部は、商品リストに含まれる商品情報が有する店舗識別子とは異なる店舗識別子に対応する第二装置に、前記商品情報、または前記商品情報と対になる補助情報、または前記商品情報および前記商品情報と対になる補助情報を送信するものとして、コンピュータを機能させるプログラムであることは好適である。
【０３００】
また、上記プログラムにおいて、記録媒体は、２以上の関連のある各店舗を識別する２以上の店舗識別子を有する１以上の関連店舗情報を格納し得る関連店舗情報格納部をさらに具備し、前記商品リスト送信部は、商品リストに含まれる商品情報が有する店舗識別子と対になる１以上の店舗識別子を前記関連店舗情報格納部から取得する店舗識別子取得手段と、前記店舗識別子取得手段が取得した１以上の店舗識別子に対応する１以上の第二装置に、前記商品情報、または前記商品情報と対になる補助情報、または前記商品情報と前記商品情報と対になる補助情報を送信する商品リスト送信手段とを具備ものとして、コンピュータを機能させるプログラムであることは好適である。
【０３０１】
また、上記プログラムにおいて、前記関連店舗情報は、商品情報に含まれる商品に関連する商品関連情報と店舗識別子との組である２以上の店舗商品情報を含み、関連する店舗商品情報を管理する情報であり、前記店舗識別子取得手段は、商品リストに含まれる商品情報が有する店舗識別子と商品関連情報と対になる１以上の店舗識別子を前記関連店舗情報格納部から取得し、前記商品リスト送信手段は、前記店舗識別子取得手段が取得した１以上の店舗識別子に対応する１以上の第二装置に、前記商品情報、または前記商品情報と対になる補助情報、または前記商品情報と前記商品情報と対になる補助情報を送信するものとして、コンピュータを機能させるプログラムであることは好適である。
【０３０２】
また、上記プログラムにおいて、ユーザ識別子で識別される一のユーザが商品を購入した履歴情報であり、商品を購入した店舗の店舗識別子とユーザ識別子とを含む２以上の履歴情報から、２以上の店舗識別子を取得し、当該２以上の店舗識別子を有する１以上の関連店舗情報を構成し、前記関連店舗情報格納部に蓄積する関連店舗情報登録部をさらに具備するものとして、コンピュータを機能させるプログラムであることは好適である。
【０３０３】
また、上記プログラムにおいて、前記ユーザ興味商品情報が有する商品リストに含まれる２以上の各商品情報は、異なるユーザ識別子に対応し得るものとして、コンピュータを機能させるプログラムであることは好適である。
【０３０４】
また、上記プログラムにおいて、前記ユーザ興味商品情報は、金額に関する制約の情報である制約情報を有し、前記商品リスト送信部は、商品リストと制約情報とを前記第二装置に送信するものとして、コンピュータを機能させるプログラムであることは好適である。
【０３０５】
また、上記プログラムにおいて、前記制約情報は、クレジットカードの利用枠、または残り使用可能金額であるものとして、コンピュータを機能させるプログラムであることは好適である。
【０３０６】
また、上記プログラムにおいて、前記補助情報は、商品を販売する店舗に関する情報であり、店舗の位置情報を含む店舗情報を有するものとして、コンピュータを機能させるプログラムであることは好適である。
【０３０７】
また、図２０は、本明細書で述べたプログラムを実行して、上述した種々の実施の形態のサーバ装置等を実現するコンピュータの外観を示す。上述の実施の形態は、コンピュータハードウェア及びその上で実行されるコンピュータプログラムで実現され得る。図２０は、このコンピュータシステム３０００の概観図であり、図２１は、システム３０００のブロック図である。
【０３０８】
図２０において、コンピュータシステム３０００は、ＣＤ−ＲＯＭドライブを含むコンピュータ３００１と、キーボード３００２と、マウス３００３と、モニタ３００４とを含む。
【０３０９】
図２１において、コンピュータ３００１は、ＣＤ−ＲＯＭドライブ３０１２に加えて、ＭＰＵ３０１３と、バス３０１４と、ＲＯＭ３０１５と、ＲＡＭ３０１６と、ハードディスク３０１７とを含む。なお、バス３０１４は、ＭＰＵ３０１３やＣＤ−ＲＯＭドライブ３０１２に接続されている。また、ＲＯＭ３０１５には、ブートアッププログラム等のプログラムが記憶されている。また、ＲＡＭ３０１６は、ＭＰＵ３０１３に接続され、アプリケーションプログラムの命令を一時的に記憶するとともに一時記憶空間を提供するためのものである。また、ハードディスク３０１７は、アプリケーションプログラム、システムプログラム、及びデータを記憶するためのものである。ここでは、図示しないが、コンピュータ３００１は、さらに、ＬＡＮへの接続を提供するネットワークカードを含んでも良い。
【０３１０】
コンピュータシステム３０００に、上述した実施の形態のサーバ装置の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０３１１】
プログラムは、コンピュータ３００１に、上述した実施の形態のサーバ装置等の機能を実行させるオペレーティングシステム、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０３１２】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０３１３】
また、上記プログラムを実行するコンピュータは、単数であってもよく、複数であってもよい。すなわち、集中処理を行ってもよく、あるいは分散処理を行ってもよい。
【０３１４】
また、上記各実施の形態において、一の装置に存在する２以上の通信手段（端末情報送信部、端末情報受信部など）は、物理的に一の媒体で実現されても良いことは言うまでもない。
【０３１５】
また、上記各実施の形態において、各処理（各機能）は、単一の装置（システム）によって集中処理されることによって実現されてもよく、あるいは、複数の装置によって分散処理されることによって実現されてもよい。
【０３１６】
本発明は、以上の実施の形態に限定されることなく、種々の変更が可能であり、それらも本発明の範囲内に包含されるものであることは言うまでもない。
【産業上の利用可能性】
【０３１７】
以上のように、本発明にかかるサーバ装置は、店舗とユーザの両者にとって、適切な販売促進活動を行うことができるという効果を有し、販売促進を行うシステムにおけるサーバ装置等として有用である。
【符号の説明】
【０３１８】
１  第一装置
２  第二装置
３  サーバ装置
１１  第一格納部
１２  第一受付部
１３  第一処理部
１４  第一送信部
１５  第一受信部
１６  第一出力部
２１  第二格納部
２２  第二受付部
２３  第二処理部
２４  第二送信部
２５  第二受信部
２６  第二出力部
３０１  ユーザ情報格納部
３０２  店舗情報格納部
３０３  ユーザ興味商品情報格納部
３０４  関連店舗情報格納部
３０５  履歴情報格納部
３０６  登録指示受信部
３０７  商品リスト蓄積部
３０８  商品リスト送信部
３０９  補助情報受信部
３１０  補助情報蓄積部
３１１  取得指示受信部
３１２  商品リスト情報取得部
３１３  商品リスト情報送信部
３１４  関連店舗情報登録部
３０８１  店舗識別子取得手段
３０８２  商品リスト送信手段
【図１】
2015162141.tif 000003
【図２】
2015162141.tif 000004
【図３】
2015162141.tif 000005
【図４】
2015162141.tif 000006
【図５】
2015162141.tif 000007
【図６】
2015162141.tif 000008
【図７】
2015162141.tif 000009
【図８】
2015162141.tif 000010
【図９】
2015162141.tif 000011
【図１０】
2015162141.tif 000012
【図１１】
2015162141.tif 000013
【図１２】
2015162141.tif 000014
【図１３】
2015162141.tif 000015
【図１４】
2015162141.tif 000016
【図１５】
2015162141.tif 000017
【図１６】
2015162141.tif 000018
【図１７】
2015162141.tif 000019
【図１８】
2015162141.tif 000020
【図１９】
2015162141.tif 000021
【図２０】
2015162141.tif 000022
【図２１】
2015162141.tif 000023